(57)【特許請求の範囲】
【請求項１】
室外機と、加湿器および送風機を備える第１の室内機を含む複数の室内機とを備え、前記室外機は前記複数の室内機に冷媒を供給し、前記第１の室内機と前記室外機との間に前記第１の室内機へ供給される冷媒の流量を制御する弁を備え、前記加湿器は前記室外機から供給される冷媒によって温調された空気を加湿し、前記送風機は空気を前記加湿器に送風して前記加湿器を乾燥する空気調和システムであって、
前記第１の室内機は、
前記加湿器の運転を停止させた後、前記加湿器を乾燥する乾燥運転の実行開始前に、前記室外機の運転状態を判別し、前記室外機が暖房または加湿のための冷媒を供給する運転を行っているときは、前記弁を開状態にしかつ前記送風機をオンにする第１の乾燥運転を実行し、前記室外機が冷房のための冷媒を供給する運転を行っているときまたは前記室外機が運転停止しているときは、前記弁を閉状態にしかつ前記送風機をオンにする第２の乾燥運転を実行する制御部を備える
ことを特徴とする空気調和システム。
【請求項２】
前記制御部は、前記乾燥運転の実行開始前に、乾燥のための冷媒の供給要求である第１の要求を前記室外機に送信し、
前記室外機は、前記第１の室内機から前記第１の要求を受信したときは、暖房のための冷媒を供給する運転を実行し、前記第１の室内機を含む全ての室内機から前記第１の要求を受信しているときに、運転停止する
ことを特徴とする請求項１に記載の空気調和システム。
【請求項３】
室外機と、加湿器を備える第１の室内機を含む複数の室内機とを備え、前記室外機は前記複数の室内機に冷媒を供給し、前記第１の室内機と前記室外機との間に前記第１の室内機へ供給される冷媒の流量を制御する弁を備え、前記加湿器は前記室外機から供給される冷媒によって温調された空気を加湿する空気調和システムであって、
前記空気調和システムは、
前記室外機から当該室外機の運転状態を示す運転状態情報を取得して、前記室外機が暖房または加湿のための冷媒を供給する運転を行っているか否かを判別する運転状態判別部を備え、
前記第１の室内機は、
前記加湿器の運転を停止させた後、前記加湿器を乾燥させる乾燥運転を開始させ、前記乾燥運転では、前記運転状態判別部による判別の結果、前記室外機が暖房または加湿のための冷媒を供給する運転を行っているときは、前記弁を開状態にさせる指令を出力する駆動指令出力部を備え、
前記第１の室内機は、さらに、
前記室外機から当該室外機の負荷状況を示す負荷状況情報を取得して、前記室外機の暖房または加湿のための冷媒を供給する運転の現在の成績係数が第１の領域内にあるか否かを判別する第１の成績係数判別部を備え、
前記運転状態判別部による判別の結果、前記室外機が暖房または加湿のための冷媒を供給する運転を行っているとき、かつ前記第１の成績係数判別部による判別の結果、前記室外機の暖房または加湿のための冷媒を供給する運転の現在の成績係数が前記第１の領域内にあるときは、前記駆動指令出力部は、前記弁を開状態にさせる指令の出力を行うことを特徴とする空気調和システム。
【請求項４】
前記第１の領域は、前記第１の室内機が前記弁を閉状態にして前記加湿器の前記乾燥運転をしたときの前記第１の室内機の消費電力と、前記第１の室内機が前記弁を開状態にして前記加湿器の前記乾燥運転をしたときの前記第１の室内機の消費電力との差分である前記第１の室内機の消費電力削減量が、前記室外機の負荷が増加することによる前記室外機の消費電力増加量よりも大きい関係が成立する領域および前記室外機の負荷が現在の負荷より増加すると前記成績係数が向上する領域であることを特徴とする請求項３に記載の空気調和システム。
【請求項５】
室外機と、加湿器を備える第１の室内機を含む複数の室内機とを備え、前記室外機は前記複数の室内機に冷媒を供給し、前記第１の室内機と前記室外機との間に前記第１の室内機へ供給される冷媒の流量を制御する弁を備え、前記加湿器は前記室外機から供給される冷媒によって温調された空気を加湿する空気調和システムであって、
前記空気調和システムは、
前記室外機から当該室外機の運転状態を示す運転状態情報を取得して、前記室外機が暖房または加湿のための冷媒を供給する運転を行っているか否かを判別する運転状態判別部を備え、
前記第１の室内機は、
前記加湿器の運転を停止させた後、前記加湿器を乾燥させる乾燥運転を開始させ、前記乾燥運転では、前記運転状態判別部による判別の結果、前記室外機が暖房または加湿のための冷媒を供給する運転を行っているときは、前記弁を開状態にさせる指令を出力する駆動指令出力部を備え、
前記第１の室内機は、さらに、
前記弁を開状態にして前記加湿器を乾燥させる乾燥運転を実行している旨の情報を前記室外機に送信する第１の送信部を備えることを特徴とする空気調和システム。
【請求項６】
前記第１の室内機は、さらに、
前記室外機から当該室外機の負荷状況を示す負荷状況情報を取得して、前記室外機の暖房または加湿のための冷媒を供給する運転の現在の成績係数が第２の領域内にあるか否かを判別する第２の成績係数判別部を備え、
前記運転状態判別部による判別の結果、前記室外機が暖房または加湿のための冷媒を供給する運転を行っているとき、かつ前記第１の成績係数判別部による判別の結果、前記室外機の暖房または加湿のための冷媒を供給する運転の現在の成績係数が前記第１の領域内にあるとき、かつ前記第２の成績係数判別部による判別の結果、前記室外機の暖房または加湿のための冷媒を供給する運転の現在の成績係数が前記第２の領域内にあるときは、前記駆動指令出力部は、前記室外機が第２の室内機に供給している冷媒が前記第１の室内機に供給されるように、前記弁の開状態の度合いを調整する指令の出力を行うことを特徴とする請求項３または４に記載の空気調和システム。
【請求項７】
前記第２の領域は、前記第１の室内機が前記弁を開状態にして前記加湿器の前記乾燥運転をしたときの前記第１の室内機の消費電力と、前記第１の室内機が前記弁の開状態の度合いを調整して前記加湿器の前記乾燥運転をしたときの前記第１の室内機の消費電力との差分である前記第１の室内機の消費電力増加量が、前記室外機の負荷が変化することによる前記室外機の消費電力削減量よりも大きい関係が成立する領域であることを特徴とする請求項６に記載の空気調和システム。
【請求項８】
前記第１の室内機は、さらに、
前記弁を開状態にして、または前記弁の開状態の度合いを調整して前記加湿器を乾燥させる乾燥運転を実行している旨の情報を前記室外機に送信する第２の送信部を備えることを特徴とする請求項６または７に記載の空気調和システム。
【請求項９】
室外機と、加湿器を備える第１の室内機を含む複数の室内機とを備え、前記室外機は前記複数の室内機に冷媒を供給し、前記第１の室内機と前記室外機との間に前記第１の室内機へ供給される冷媒の流量を制御する弁を備え、前記加湿器は前記室外機から供給される冷媒によって温調された空気を加湿する空気調和システムであって、
前記空気調和システムは、
前記室外機から当該室外機の運転状態を示す運転状態情報を取得して、前記室外機が暖房または加湿のための冷媒を供給する運転を行っているか否かを判別する運転状態判別部を備え、
前記第１の室内機は、
前記加湿器の運転を停止させた後、前記加湿器を乾燥させる乾燥運転を開始させ、前記乾燥運転では、前記運転状態判別部による判別の結果、前記室外機が暖房または加湿のための冷媒を供給する運転を行っているときは、前記弁を開状態にさせる指令を出力する駆動指令出力部を備え、
前記第１の室内機は、さらに、
前記駆動指令出力部による駆動指令の出力内容に応じて、前記加湿器の乾燥運転の運転時間をカウントするカウント部を備えることを特徴とする空気調和システム。
【請求項１０】
室外機と、加湿器を備える第１の室内機を含む複数の室内機とを備え、前記室外機は前記複数の室内機に冷媒を供給し、前記第１の室内機と前記室外機との間に前記第１の室内機へ供給される冷媒の流量を制御する弁を備え、前記加湿器は前記室外機から供給される冷媒によって温調された空気を加湿する空気調和システムであって、
前記空気調和システムは、
前記室外機から当該室外機の運転状態を示す運転状態情報を取得して、前記室外機が暖房または加湿のための冷媒を供給する運転を行っているか否かを判別する運転状態判別部を備え、
前記第１の室内機は、
前記加湿器の運転を停止させた後、前記加湿器を乾燥させる乾燥運転を開始させ、前記乾燥運転では、前記運転状態判別部による判別の結果、前記室外機が暖房または加湿のための冷媒を供給する運転を行っているときは、前記弁を開状態にさせる指令を出力する駆動指令出力部を備え、
前記第１の室内機は、さらに、
前記弁の開条件の設定情報を取得する第１の設定情報取得部を備え、
前記駆動指令出力部は、前記第１の設定情報取得部が取得した前記弁の開条件の設定情報に基づいて、前記加湿器の乾燥運転のための駆動指令の出力を行うことを特徴とする空気調和システム。
【請求項１１】
室外機と、加湿器を備える第１の室内機を含む複数の室内機とを備え、前記室外機は前記複数の室内機に冷媒を供給し、前記第１の室内機と前記室外機との間に前記第１の室内機へ供給される冷媒の流量を制御する弁を備え、前記加湿器は前記室外機から供給される冷媒によって温調された空気を加湿する空気調和システムであって、
前記空気調和システムは、
前記室外機から当該室外機の運転状態を示す運転状態情報を取得して、前記室外機が暖房または加湿のための冷媒を供給する運転を行っているか否かを判別する運転状態判別部を備え、
前記第１の室内機は、
前記加湿器の運転を停止させた後、前記加湿器を乾燥させる乾燥運転を開始させ、前記乾燥運転では、前記運転状態判別部による判別の結果、前記室外機が暖房または加湿のための冷媒を供給する運転を行っているときは、前記弁を開状態にさせる指令を出力する駆動指令出力部を備え、
前記第１の室内機は、さらに、
前記第１の室内機が備える送風機の運転条件の設定情報を取得する第２の設定情報取得部を備え、
前記駆動指令出力部は、前記第２の設定情報取得部が取得した前記送風機の運転条件の設定情報に基づいて、前記加湿器の乾燥運転のための駆動指令の出力を行うことを特徴とする空気調和システム。
【請求項１２】
室外機と、加湿器を備える第１の室内機を含む複数の室内機とを備え、前記室外機は前記複数の室内機に冷媒を供給し、前記第１の室内機と前記室外機との間に前記第１の室内機へ供給される冷媒の流量を制御する弁を備え、前記加湿器は前記室外機から供給される冷媒によって温調された空気を加湿する空気調和システムであって、
前記空気調和システムは、
前記室外機から当該室外機の運転状態を示す運転状態情報を取得して、前記室外機が暖房または加湿のための冷媒を供給する運転を行っているか否かを判別する運転状態判別部を備え、
前記第１の室内機は、
前記加湿器の運転を停止させた後、前記加湿器を乾燥させる乾燥運転を開始させ、前記乾燥運転では、前記運転状態判別部による判別の結果、前記室外機が暖房または加湿のための冷媒を供給する運転を行っているときは、前記弁を開状態にさせる指令を出力する駆動指令出力部を備え、
前記第１の室内機は換気装置であることを特徴とする空気調和システム。
【請求項１３】
室外機と、加湿器および送風機を備える第１の室内機を含む複数の室内機とを備え、前記室外機は前記複数の室内機に冷媒を供給し、前記第１の室内機と前記室外機との間に前記第１の室内機へ供給される冷媒の流量を制御する弁を備え、前記加湿器は前記室外機から供給される冷媒によって温調された空気を加湿し、前記送風機は空気を前記加湿器に送風して前記加湿器を乾燥する空気調和システムの制御方法であって、
前記第１の室内機が、
前記加湿器の運転を停止させた後、前記加湿器を乾燥する乾燥運転の実行開始前に、前記室外機の運転状態を判別し、前記室外機が暖房または加湿のための冷媒を供給する運転を行っているときは、前記弁を開状態にしかつ前記送風機をオンにする第１の乾燥運転を実行し、前記室外機が冷房のための冷媒を供給する運転を行っているときまたは前記室外機が運転停止しているときは、前記弁を閉状態にしかつ前記送風機をオンにする第２の乾燥運転を実行する制御ステップ、
を含むことを特徴とする空気調和システムの制御方法。
【請求項１４】
前記第１の室内機は、前記乾燥運転の実行開始前に、乾燥のための冷媒の供給要求である第１の要求を前記室外機に送信し、
前記室外機は、前記第１の室内機から前記第１の要求を受信したときは、暖房のための冷媒を供給する運転を実行し、前記第１の室内機を含む全ての室内機から前記第１の要求を受信しているときに、運転停止する
ことを特徴とする請求項１３に記載の空気調和システムの制御方法。
【発明の詳細な説明】
【技術分野】
【０００１】
本発明は、加湿器を備える室内機を含む複数の室内機を備える空気調和システムおよび空気調和システムの制御方法に関する。
【背景技術】
【０００２】
従来、加湿器を備える空気調和機において、予め設定された時刻に空気調和機を停止するに際し、空気調和機の運転を停止しようとする時刻までの残り時間が予め設定された時間に達したとき、加湿器への給水を停止して加湿器を乾燥運転する空気調和機の運転制御装置が、特許文献１に提案されている（特許文献１参照。）。
【先行技術文献】
【特許文献】
【０００３】
【特許文献１】特許第３９４８６００号公報
【発明の概要】
【発明が解決しようとする課題】
【０００４】
しかしながら、上記特許文献１に記載の技術では、予め設定された時刻よりも早い時刻に空気調和機を停止させる停止要求操作が行われた場合には、上述した加湿器の乾燥運転が完了していない状態で空気調和機が停止してしまう。そのため、空気調和機の停止後に送風機を運転させて、加湿器を乾燥させる必要があり、加湿器を乾燥させるために必要な時間が長時間に亘るという問題があった。【０００５】
本発明は、上記に鑑みてなされたものであって、加湿器を乾燥させるために必要な時間を短縮することができる空気調和システムを得ることを目的とする。
【課題を解決するための手段】
【０００６】
上述した課題を解決し、目的を達成するために、本発明にかかる空気調和システムは、室外機を備える。空気調和システムは、加湿器および送風機を備える第１の室内機を含む複数の室内機を備える。室外機は複数の室内機に冷媒を供給する。空気調和システムは、第１の室内機と室外機との間に第１の室内機へ供給される冷媒の流量を制御する弁を備える。加湿器は室外機から供給される冷媒によって温調された空気を加湿する。送風機は空気を加湿器に送風して加湿器を乾燥する。第１の室内機は、加湿器の運転を停止させた後、加湿器を乾燥する乾燥運転の実行開始前に、前記室外機の運転状態を判別する。第１の室内機は、室外機が暖房または加湿のための冷媒を供給する運転を行っているときは、弁を開状態にしかつ送風機をオンにする第１の乾燥運転を実行し、室外機が冷房のための冷媒を供給する運転を行っているときまたは室外機が運転停止しているときは、弁を閉状態にしかつ送風機をオンにする第２の乾燥運転を実行する制御部を備える。
【発明の効果】
【０００７】
本発明にかかる空気調和システムは、加湿器を乾燥させるために必要な時間を短縮することができ、また加湿器の乾燥に要する電力消費量を削減できるという効果を奏する。
【図面の簡単な説明】
【０００８】
【図１】本発明の実施の形態１にかかる空気調和システムの構成例を概略的に示す図
【図２】図１における室内機の構成例を概略的に示す図
【図３】図２における制御装置のハードウェア構成の一例を示すブロック図
【図４】図１における室内機の機能構成の一例を示すブロック図
【図５】図１における室内機の制御部が実行する空調処理のフローチャート
【図６】図１における室内機の制御部が実行する乾燥運転処理のフローチャート
【図７】上述した室内機の各運転状態における駆動指令出力部による駆動指令の出力の一例を説明するための図
【図８】送風機および膨張弁の状態に応じたカウント値、および室内機が乾燥運転を開始してから加湿器が乾燥するまでに必要な乾燥運転時間の一例を説明するための図
【図９】本発明の実施の形態２にかかる空気調和システムの室内機の機能構成の一例を示すブロック図
【図１０】本発明の実施の形態２にかかる空気調和システムの室内機が実行する乾燥運転処理のフローチャート
【図１１】実施の形態２の室外機の暖房または加湿のための冷媒を供給する運転の成績係数（ＣＯＰ）を説明するための図
【図１２】実施の形態２の室内機の消費電力削減量を説明するための図
【図１３】図１１における領域２を拡大した図
【図１４】実施の形態２の室内機の乾燥運転時の駆動指令出力部による駆動指令の出力を説明するための図
【図１５】本発明の実施の形態３にかかる空気調和システムの室内機の機能構成の一例を示すブロック図
【図１６】本発明の実施の形態３にかかる空気調和システムの室内機が実行する乾燥運転処理のフローチャート
【図１７】図１１における領域１を拡大した図
【図１８】本発明の実施の形態４にかかる空気調和システムの室内機の機能構成の一例を示すブロック図
【図１９】本発明の実施の形態４にかかる空気調和システムの室内機が実行する乾燥運転処理のフローチャート
【図２０】実施の形態４の加湿器の乾燥運転の運転時間のカウント時間の一例を説明するための図
【図２１】本発明の実施の形態４にかかる空気調和システムの動作の一例を説明するためのタイミング図
【図２２】本発明の実施の形態５にかかる空気調和システムの室内機の機能構成の一例を示すブロック図
【図２３】本発明の実施の形態５にかかる空気調和システムの室内機が実行する乾燥運転処理のフローチャート
【図２４】実施の形態５の機能設定回路による膨張弁の開条件の設定情報を説明するための図
【図２５】実施の形態５の機能設定回路による送風機の運転条件の設定情報を説明するための図
【図２６】本発明の実施の形態６にかかる空気調和システムの換気装置の構成例を概略的に示す図
【図２７】図２６における制御装置のハードウェア構成の一例を示すブロック図
【図２８】本発明の実施の形態７にかかる空気調和システムが実行する処理のシーケンス図
【図２９】シーケンスＳＱ０３にて室内機が中央監視装置に送信するデータの内容の一例を説明するための図
【図３０】シーケンスＳＱ０５にて室外機が中央監視装置に送信するデータの内容の一例を説明するための図
【図３１】シーケンスＳＱ１３にて室外機が中央監視装置に送信するデータの内容の一例を説明するための図
【図３２】実施の形態７における室内機が実行する乾燥運転処理のフローチャート
【発明を実施するための形態】
【０００９】
以下に、本発明の実施の形態にかかる空気調和システムおよび空気調和システムの制御方法を図面に基づいて詳細に説明する。なお、この実施の形態によりこの発明が限定されるものではない。
【００１０】
実施の形態１．
まず、本発明の実施の形態１にかかる空気調和システムについて説明する。図１は、本発明の実施の形態１にかかる空気調和システムの構成例を概略的に示す図である。
【００１１】
図１において、空気調和システム１００は、室外に設置される室外機３と、室内に設置される室内機４ａ，４ｂ，…，４ｎと、室内に設置される換気装置５ａ，…，５ｍと、室内機用リモートコントローラ６ａ，６ｂ，…，６ｎと、換気装置用リモートコントローラ７ａ，…，７ｍと、中央監視装置８とを備える。以下、室内機４ａ，４ｂ，…，４ｎを単に室内機４という場合もあり、換気装置５ａ，…，５ｍを単に換気装置５という場合もあり、室内機用リモートコントローラ６ａ，６ｂ，…，６ｎを単にリモコン６という場合もあり、換気装置用リモートコントローラ７ａ，…，７ｍを単にリモコン７という場合もある。室内機４および換気装置５は、室内機の一例である。
【００１２】
室外機３と室内機４とは冷媒の流れる方向を切り替える分岐ユニット９を介して冷媒配管１で接続されている。同様に、室外機３と換気装置５も分岐ユニット９を介して冷媒配管１で接続されている。室外機３、室内機４、換気装置５および中央監視装置８は、それぞれ互いに通信線２を介して接続されている。中央監視装置８は、通信線２を介して室外機３、室内機４および換気装置５を個別にまたは一括に操作したり、運転状態を監視したりすることができる。たとえば、中央監視装置８は、室内機４を運転または停止させるための指令、室内機４を暖房運転または冷房運転させるための指令、室内機４の風速を設定させるための指令、および室内機４を加湿運転させるための指令または加湿運転を停止させるための指令を室内機４に送出したり、室内機４および換気装置５が乾燥運転を実施しているかの状態を示す実施状態情報を受信したりすることができる。室外機３は、通信線２を介して室内機４および換気装置５が乾燥運転を実施しているかの状態を示す実施状態情報を受信することができる。
【００１３】
室内機４とリモコン６とは有線または無線を介して接続されている。リモコン６は、たとえば、ユーザからの室内機４の運転要求操作または停止要求操作、室内機４の暖房要求操作または冷房要求操作、室内機４の風速設定操作、および室内機４の加湿要求操作または加湿停止要求操作を受け付けることができるとともに、室内機４の運転状態を表示することができる。リモコン６は、室内機４を運転または停止させるための指令、室内機４を暖房運転または冷房運転させるための指令、室内機４の風速を設定させるための指令、および室内機４を加湿運転させるための指令または加湿運転を停止させるための指令を室内機４に送出することができる。同様に、換気装置５とリモコン７とは有線または無線を介して接続されている。同様に、リモコン７は、たとえば、ユーザからの換気装置５の運転要求操作または停止要求操作、換気装置５の暖房要求操作または冷房要求操作、換気装置５の換気風量の操作、および換気装置５の加湿要求操作または加湿停止要求操作を受け付けることができるとともに、換気装置５の運転状態を表示することができる。同様に、リモコン７は、換気装置５を運転または停止させるための指令、換気装置５を暖房運転または冷房運転させるための指令、換気装置５の換気風量を設定させるための指令、および換気装置５を加湿運転させるための指令または加湿運転を停止させるための指令を換気装置５に送出することができる。
【００１４】
室内機４は、リモコン６または中央監視装置８から送出された指令を、リモコン６から送出された指令については有線または無線を介して、中央監視装置８から送出された指令については通信線２を介して受け付けると、暖房運転または冷房運転といった運転設定情報、風速設定情報、温度設定情報、湿度設定情報、後述する加湿器１３を乾燥させるための乾燥運転の実施状態情報、調温対象空間の温度情報、および調湿対象空間の湿度情報といった情報に基づいて、室外機３を制御するための指令を生成し、当該指令を通信線２を介して室外機３に送出する。同様に、換気装置５は、リモコン７または中央監視装置８から送出された指令を、リモコン６から送出された指令については有線または無線を介して、中央監視装置８から送出された指令については通信線２を介して受け付けると、暖房運転または冷房運転といった運転設定情報、換気風量設定情報、温度設定情報、湿度設定情報、後述する加湿器１３を乾燥させるための乾燥運転の実施状態情報、調温対象空間の温度情報、および調湿対象空間の湿度情報といった情報に基づいて、室外機３を制御するための指令を生成し、通信線２を介して当該指令を室外機３に送出する。
【００１５】
室外機３は、室内機４および換気装置５のうちの少なくとも一方から送出された指令を、通信線２を介して受け付けると、当該指令に基づいて室外機３内の図示しない圧縮機を制御し、室内機４および換気装置５のうちの少なくとも一方へ冷媒配管１および分岐ユニット９を介して供給する冷媒の温度または流量を制御する。
【００１６】
図２は、図１における室内機４の構成例を概略的に示す図である。
【００１７】
図２において、室内機４は、送風機１１と、空調コイル１２と、加湿器１３と、温度センサ１４と、制御装置２０とを備える。
【００１８】
送風機１１は、室内から空気１５を吸い込み、吸い込んだ空気１５を空調コイル１２および加湿器１３を通過させて室内に供給するように空気１５を循環させる。空調コイル１２は、冷媒配管１および分岐ユニット９を介して室外機３と接続されている。空調コイル１２は、室外機３から冷媒配管１および分岐ユニット９を介して供給された冷媒を用いて、空気１５を加熱または冷却する。以下の説明で、空気を加熱または冷却させることを調温するともいう。空調コイル１２に接続される冷媒配管１には、冷媒流量を調節するための膨張弁２２が設けられている。加湿器１３は、給水配管２４を介して給水口２３と接続されている。加湿器１３は、給水口２３から給水配管２４を介して供給された水を用いて、空調コイル１２で温調された空気１５を加湿する。加湿器１３に接続される給水配管２４には、給水流量を調節するための給水弁２１が設けられている。
【００１９】
空調コイル１２および加湿器１３が配置された加湿風路部１９は、上下方向に配置された加湿風路上部１７と加湿風路下部１８とによって構成されている。加湿風路上部１７は、発泡樹脂で空調コイル１２および加湿器１３を覆う。加湿風路下部１８は発泡樹脂製のドレン皿１６を備える。加湿風路下部１８は、ドレン皿１６の水受け表面にプラスチック材が同時に成形され、発砲樹脂への浸水を防いだ構造体である。加湿風路上部１７と加湿風路下部１８とは、上下方向で嵌め合い構造となっており、一体となって加湿風路部１９を形成する。
【００２０】
温度センサ１４は、送風機１１によって吸い込んだ空気１５の温度を、空調コイル１２よりも上流側で測定する。制御装置２０は、室内機４の全体の動作を制御する。
【００２１】
図３は、図２における制御装置２０のハードウェア構成の一例を示すブロック図である。
【００２２】
図３に示すように、制御装置２０は、電源回路３１と、送風機駆動回路３２と、給水弁駆動回路３３と、膨張弁駆動回路３４と、センサ検知回路３５と、機能設定回路３６と、リモコン通信回路３７と、冷媒系通信回路３８と、マイクロコンピュータ３９とを備える。
【００２３】
電源回路３１は、商用電源３０に接続されている。電源回路３１は、制御装置２０のハードウェアを駆動するための電源を生成し、電力が送風機駆動回路３２、給水弁駆動回路３３、膨張弁駆動回路３４、センサ検知回路３５、機能設定回路３６、リモコン通信回路３７、冷媒系通信回路３８およびマイクロコンピュータ３９のそれぞれへ供給されるが、図３において接続線の図示は省略している。
【００２４】
送風機駆動回路３２は、送風機１１に接続されている。送風機駆動回路３２は、マイクロコンピュータ３９からの指令に基づいて、送風機１１の送風能力を多段階制御することができる。たとえば、送風機駆動回路３２は、送風機１１の送風能力を弱、中および強の３段階に切り替えることができる。
【００２５】
給水弁駆動回路３３は、給水弁２１に接続されている。給水弁駆動回路３３は、マイクロコンピュータ３９からの指令に基づいて、給水弁２１を開状態または閉状態に制御することができ、給水弁２１の開状態の度合いを制御することもできる。
【００２６】
膨張弁駆動回路３４は、膨張弁２２に接続されている。膨張弁駆動回路３４は、マイクロコンピュータ３９からの指令に基づいて、膨張弁２２を開状態または閉状態に制御することができ、膨張弁２２の開状態の度合いを制御することもできる。
【００２７】
センサ検知回路３５は、温度センサ１４に接続されている。センサ検知回路３５は、温度センサ１４による測定結果である温度情報をマイクロコンピュータ３９に送出することができる。機能設定回路３６は、たとえば加湿器１３の乾燥運転の設定情報をマイクロコンピュータ３９に送出することができる。
【００２８】
リモコン通信回路３７は、リモコン６に接続されている。リモコン通信回路３７は、リモコン６から受け付けた、たとえば室内機４を運転または停止させるための指令、室内機４を暖房運転または冷房運転させるための指令、室内機４の風速を設定させるための指定、および室内機４を加湿運転させるための指令または加湿運転を停止させるための指令をマイクロコンピュータ３９に送出することができる。
【００２９】
リモコン通信回路３７は、マイクロコンピュータ３９が持っている、たとえば室内機４が運転または停止しているかの状態、室内機４が暖房運転または冷房運転しているかの状態、室内機４が動作している風速の状態、室内機４が加湿運転を実施または停止しているかの状態、および温度センサ１４によって計測された温度といった情報をリモコン６へ送出することができる。
【００３０】
冷媒系通信回路３８は、通信線２を介して室外機３、他の室内機４、換気装置５および中央監視装置８に接続されている。冷媒系通信回路３８は、通信線２を介して、たとえば室内機４を運転または停止させるための指令、室内機４を暖房運転または冷房運転させるための指令、室内機４の風速を設定させるための指定、および室内機４を加湿運転させるための指令または加湿運転を停止させるための指令を受信することができる。
【００３１】
冷媒系通信回路３８は、マイクロコンピュータ３９が持っている、たとえば室内機４が運転または停止しているかの状態、室内機４が暖房運転または冷房運転しているかの状態、室内機４が動作している風速の状態、室内機４が加湿運転を実施または停止しているかの状態、加湿器１３を乾燥させるための乾燥運転の実施状態、および温度センサ１４によって計測された温度といった情報を通信線２を介して送出することができる。
【００３２】
室内機４が備える加湿器１３は、室内機４の加湿運転の後に、室内機４を停止しても水分を含んだままの状態となる。また水の蒸発によって室内機４の本体内部が湿潤状態になりやすい。このような湿潤状態で室内機４を放置すると、加湿器１３の劣化が進む可能性があるため、加湿器１３を乾燥させる必要がある。
【００３３】
本発明の実施の形態１にかかる空気調和システム１００における室内機４では、後述する図５の空調処理および図６の乾燥運転処理を実行することにより、室内機４の加湿運転の後に、乾燥運転を実行して、加湿器１３を乾燥させる。
【００３４】
図４は、図１における室内機の機能構成の一例を示すブロック図である。
【００３５】
図４において、室内機４は、制御部１１０と、通信部１１１と、測定部１１２とを備える。制御部１１０は、駆動指令出力部１１４と、運転状態判別部１１５と、第１の送信部１１６とを備える。
【００３６】
通信部１１１は、リモコン通信回路３７または冷媒系通信回路３８を介してリモコン６、室外機３、室内機４、換気装置５または中央監視装置８と指令および情報といったデータを送受信する。
【００３７】
測定部１１２は、センサ検知回路３５を介して、温度センサ１４の温度情報を計測する。
【００３８】
駆動指令出力部１１４は、加湿器１３の乾燥運転のための駆動指令の出力を行う。運転状態判別部１１５は、室外機３から室外機３の運転状態を示す運転状態情報を取得して、室外機３が暖房または加湿のための冷媒を供給する運転を行っているか否かを判別する。運転状態情報は、室外機３が暖房または加湿のための冷媒を供給する運転をしている状態または室外機３が冷房のための冷媒を供給する運転をしている状態といった室外機３の運転状態を示す情報である。運転状態判別部１１５による判別の結果、室外機３が暖房または加湿のための冷媒を供給する運転を行っているときは、駆動指令出力部１１４は、乾燥運転中に膨張弁２２を開状態にさせる指令を出力する。第１の送信部１１６は、膨張弁２２を開状態にして加湿器１３を乾燥させる乾燥運転を実行している旨の情報を室外機３に送信する。
【００３９】
次に、図１における室内機が実行する空調処理について説明する。図５は、図１における室内機４の制御部１１０が実行する空調処理のフローチャートである。
【００４０】
図５において、まず、室内機４の制御部１１０は、リモコン６または中央監視装置８から室内機４を運転させるための指令を受信したか否かを判別する（ステップＳ０１）。
【００４１】
ステップＳ０１での判別の結果、室内機４の制御部１１０がリモコン６または中央監視装置８から室内機４を停止させるための指令を受信したときは（ステップＳ０１でＮｏ）、室内機４の制御部１１０は後述する図６の乾燥運転処理を実行する（ステップＳ２８）。
【００４２】
ステップＳ０１での判別の結果、室内機４の制御部１１０がリモコン６または中央監視装置８から室内機４を運転させるための指令を受信したときは（ステップＳ０１でＹｅｓ）、室内機４の制御部１１０はリモコン６または中央監視装置８から室内機４を暖房運転させるための指令を受信したか否かを判別する（ステップＳ１０）。
【００４３】
ステップＳ１０での判別の結果、室内機４の制御部１１０がリモコン６または中央監視装置８から室内機４を暖房運転させるための指令を受信したときは（ステップＳ１０でＹｅｓ）、室内機４の制御部１１０はリモコン６または中央監視装置８から室内機４を加湿運転させるための指令を受信したか否かを判別する（ステップＳ１１）。
【００４４】
ステップＳ１１での判別の結果、室内機４の制御部１１０がリモコン６または中央監視装置８から室内機４を加湿運転させるための指令を受信していないときは（ステップＳ１１でＮｏ）、室内機４の制御部１１０は暖房運転の設定温度と、温度センサ１４によって測定された空気１５の温度とを比較して、暖房運転の設定温度が空気１５の温度以上であるか否かを判別する（ステップＳ１５）。
【００４５】
ステップＳ１５での判別の結果、暖房運転の設定温度が空気１５の温度以上であるときは（ステップＳ１５でＹｅｓ）、室内機４の制御部１１０は暖房のための冷媒の供給要求を室外機３に送信する（ステップＳ１８）。暖房のための冷媒は、空調コイル１２に供給されて空気１５を加熱させるための冷媒である。
【００４６】
次いで、室内機４の制御部１１０は、暖房運転のための駆動指令の出力を行う（ステップＳ１９）。たとえば、室内機４の制御部１１０は、送風機１１を運転させるための送風機駆動回路３２への駆動指令の出力と、給水弁２１を閉状態に制御するための給水弁駆動回路３３への駆動指令の出力と、膨張弁２２を開状態に制御するための膨張弁駆動回路３４への駆動指令の出力とを行う。これにより、室内機４の暖房運転が実行される。
【００４７】
ステップＳ１５での判別の結果、暖房運転の設定温度が空気１５の温度以上でないときは（ステップＳ１５でＮｏ）、室内機４の制御部１１０は暖房のための冷媒の供給停止要求を室外機３に送信する（ステップＳ１６）。
【００４８】
次いで、室内機４の制御部１１０は、暖房運転を停止させるための駆動指令の出力を行う（ステップＳ１７）。たとえば、室内機４の制御部１１０は、送風機１１を停止させるための送風機駆動回路３２への駆動指令の出力と、給水弁２１を閉状態に制御するための給水弁駆動回路３３への駆動指令の出力と、膨張弁２２を閉状態に制御するための膨張弁駆動回路３４への駆動指令の出力とを行う。これにより、室内機４の暖房運転が停止する。
【００４９】
ステップＳ１１での判別の結果、室内機４の制御部１１０がリモコン６または中央監視装置８から室内機４を加湿運転させるための指令を受信したときは（ステップＳ１１でＹｅｓ）、室内機４の制御部１１０は加湿のための冷媒の供給要求を室外機３に送信する（ステップＳ１２）。空気調和システム１００では、室内機４または換気装置５による室内の加湿を効果的に実行するために、室外機３は室内機４または換気装置５から加湿のための冷媒の供給要求を受け付けたときは、室内機４または換気装置５の暖房運転の際に供給する冷媒と同様の冷媒を生成して室内機４または換気装置５に供給する。すなわち、加湿のための冷媒は、空調コイル１２に供給されて空気１５を加熱させるための冷媒である。
【００５０】
次いで、室内機４の制御部１１０は、加湿運転のための駆動指令の出力を行う（ステップＳ１３）。たとえば、室内機４の制御部１１０は、送風機１１を運転させるための送風機駆動回路３２への駆動指令の出力と、給水弁２１を開状態に制御するための給水弁駆動回路３３への駆動指令の出力と、膨張弁２２を開状態に制御するための膨張弁駆動回路３４への駆動指令の出力とを行う。これにより、室内機４の加湿運転が実行される。
【００５１】
ステップＳ１３において、給水弁２１を開状態にしたことにより、加湿器１３が湿潤状態となったため、乾燥運転を実施する必要がある。そこで、室内機４の制御部１１０は乾燥運転が必要か否かを管理するための乾燥運転要求フラグをセットする（ステップＳ１４）。乾燥運転要求フラグをセットするというのは、乾燥運転要求フラグを乾燥運転が必要であることを示す値にセットするということである。
【００５２】
ステップＳ１０での判別の結果、室内機４の制御部１１０がリモコン６または中央監視装置８から室内機４を暖房運転させるための指令を受信していないときは（ステップＳ１０でＮｏ）、室内機４の制御部１１０はリモコン６または中央監視装置８から室内機４を冷房運転させるための指令を受信したか否かを判別する（ステップＳ２０）。
【００５３】
ステップＳ２０での判別の結果、室内機４の制御部１１０がリモコン６または中央監視装置８から室内機４を冷房運転させるための指令を受信したときは（ステップＳ２０でＹｅｓ）、室内機４の制御部１１０は冷房運転の設定温度と、温度センサ１４によって測定された空気１５の温度とを比較して、冷房運転の設定温度が空気１５の温度以下であるか否かを判別する（ステップＳ２１）。
【００５４】
ステップＳ２１での判別の結果、冷房運転の設定温度が空気１５の温度以下であるときは（ステップＳ２１でＹｅｓ）、室内機４の制御部１１０は冷房のための冷媒の供給要求を室外機３に送信する（ステップＳ２４）。冷房のための冷媒は、空調コイル１２に供給されて空気１５を冷却するための冷媒である。
【００５５】
次いで、室内機４の制御部１１０は、冷房運転のための駆動指令の出力を行う（ステップＳ２５）。たとえば、室内機４の制御部１１０は、送風機１１を運転させるための送風機駆動回路３２への駆動指令の出力と、給水弁２１を閉状態に制御するための給水弁駆動回路３３への駆動指令の出力と、膨張弁２２を開状態に制御するための膨張弁駆動回路３４への駆動指令の出力とを行う。これにより、室内機４の冷房運転が実行される。
【００５６】
ステップＳ２１での判別の結果、冷房運転の設定温度が空気１５の温度以下でないときは（ステップＳ２１でＮｏ）、室内機４の制御部１１０は冷房のための冷媒の供給停止要求を室外機３に送信する（ステップＳ２２）。
【００５７】
次いで、室内機４の制御部１１０は、冷房運転を停止させるための駆動指令の出力を行う（ステップＳ２３）。たとえば、室内機４の制御部１１０は、送風機１１を停止させるための送風機駆動回路３２への駆動指令の出力と、給水弁２１を閉状態に制御するための給水弁駆動回路３３への駆動指令の出力と、膨張弁２２を閉状態に制御するための膨張弁駆動回路３４への駆動指令の出力とを行う。これにより、室内機４の冷房運転が停止する。
【００５８】
ステップＳ２０での判別の結果、室内機４の制御部１１０がリモコン６または中央監視装置８から室内機４を冷房運転させるための指令を受信していないときは（ステップＳ２０でＮｏ）、室内機４の制御部１１０はリモコン６または中央監視装置８から室内機４を送風運転させるための指令を受信したと判断し、室内機４の制御部１１０は冷媒の供給停止要求を室外機３に送信する（ステップＳ２６）。
【００５９】
次いで、室内機４の制御部１１０は、送風運転のための駆動指令の出力を行う（ステップＳ２７）。たとえば、室内機４の制御部１１０は、送風機１１を運転させるための送風機駆動回路３２への駆動指令の出力と、給水弁２１を閉状態に制御するための給水弁駆動回路３３への駆動指令の出力と、膨張弁２２を閉状態に制御するための膨張弁駆動回路３４への駆動指令の出力とを行う。これにより、室内機４の送風運転が実行される。
【００６０】
ステップＳ１４、ステップＳ１７、ステップＳ１９、ステップＳ２３、ステップＳ２５またはステップＳ２７の後に、室内機４の制御部１１０は後述する図６の乾燥運転処理を実行する（ステップＳ２８）。ステップＳ２８の後に、ステップＳ０１に戻り、室内機４の制御部１１０は本処理を繰り返す。
【００６１】
次に、図１における室内機４が実行する乾燥運転処理について説明する。図６は、図１における室内機４の制御部１１０が実行する乾燥運転処理のフローチャートである。
【００６２】
図６において、まず、室内機４の制御部１１０は、乾燥運転が必要か否かを判別するために、乾燥運転要求フラグがセットされているか否か、および給水弁２１が閉状態か否かを判別する（ステップＳ３１）。
【００６３】
ステップＳ３１での判別の結果、乾燥運転が必要なとき、すなわち乾燥運転要求フラグがセットされていて、かつ給水弁２１が閉状態のときは（ステップＳ３１でＹｅｓ）、室内機４の制御部１１０は乾燥運転経過時間のカウントを行う（ステップＳ３２）。乾燥運転経過時間のカウントは、一定間隔、たとえば１分間隔毎に、送風機１１および膨張弁２２の状態に応じたカウント値を積算することで行う。
【００６４】
図８は、送風機１１および膨張弁２２の状態に応じたカウント値、および室内機４が乾燥運転を開始してから加湿器１３が乾燥するまでに必要な乾燥運転時間の一例を説明するための図である。カウント値は、送風機１１および膨張弁２２の状態が変化した場合でも、乾燥運転の経過時間を求められるようにするための値であり、最も乾燥しにくい条件での乾燥運転時間を基準単位として、下記式により設定される。
カウント値  ＝  最大の乾燥運転時間（９時間）  ÷  各条件で必要な乾燥運転時間
たとえば、送風機１１の送風能力が強、膨張弁２２が開状態のときは、加湿器１３が乾燥するまでに必要となる時間は１時間であり、カウント値は９となる。
【００６５】
カウント値を用いた乾燥運転経過時間のカウントの一例を以下に示す。たとえば、最初の４０分間は、送風機１１の送風能力が強、膨張弁２２が開状態、すなわちカウント値を＋９とする。その後の６０分間は、送風機１１の送風能力が強、膨張弁２２が閉状態、すなわちカウント値が＋３になったとする。この合計１００分間での乾燥運転経過時間は、
４０分×９  ＋  ６０分×３  ＝  ５４０分
となり、送風機１１の送風能力を弱、膨張弁２２を閉状態として、５４０分間だけ乾燥運転を行った場合と同じ結果となる。このようにして、送風機１１および膨張弁２２の状態に応じて、乾燥運転経過時間をカウントする。
【００６６】
次いで、室内機４の制御部１１０は、ステップＳ３２でカウントした乾燥運転経過時間が、加湿器１３が乾燥するまでに必要な乾燥運転時間の閾値を超えたか否かを判別して、加湿器１３が乾燥するまでに必要な乾燥運転時間が経過したか否かを判別する（ステップ３３）。本実施の形態では、加湿器１３が乾燥するまでに必要な乾燥運転時間の閾値は、図８の各条件での乾燥運転時間のうち、最長の時間、すなわち９時間となる。よって、ステップＳ３３では、乾燥運転経過時間が９時間を超えたか否かを判別する。
【００６７】
ステップＳ３３での判別の結果、加湿器１３が乾燥するまでに必要な乾燥運転時間が経過したときは（ステップＳ３３でＹｅｓ）、室内機４の制御部１１０は乾燥運転を終了するために、乾燥運転要求フラグ、および乾燥運転経過時間をクリアする（ステップＳ３４）。乾燥運転要求フラグをクリアするというのは、乾燥運転要求フラグを乾燥運転が不要であることを示す値にセットするということである。
【００６８】
ステップＳ３３での判別の結果、加湿器１３が乾燥するまでに必要な乾燥運転時間が経過していないときは（ステップＳ３３でＮｏ）、室内機４の制御部１１０は乾燥運転を終了させないために、乾燥運転要求フラグ、および乾燥運転経過時間をクリアしない。
【００６９】
ステップＳ３１での判別の結果、乾燥運転が不要なとき、すなわち乾燥運転要求フラグがクリアされているとき、あるいは加湿運転を実施しているとき、すなわち給水弁２１が開状態のときは（ステップＳ３１でＮｏ）、室内機４の制御部１１０は乾燥運転経過時間のカウントは行わずに、乾燥運転経過時間をクリアする（ステップＳ３５）。
【００７０】
次いで、室内機４の制御部１１０は、リモコン６または中央監視装置８から室内機４を運転させるための指令を受信したか否かを判別する（ステップＳ４０）。
【００７１】
ステップＳ４０での判別の結果、室内機４の制御部１１０がリモコン６または中央監視装置８から室内機４を運転させるための指令を受信していないときは（ステップＳ４０でＮｏ）、室内機４の制御部１１０は乾燥運転が必要か否かを判別するために、乾燥運転要求フラグがセットされているか否かを判別する（ステップＳ４１）。
【００７２】
ステップＳ４１での判別の結果、乾燥運転が必要なとき、すなわち乾燥運転要求フラグがセットされているときは（ステップＳ４１でＹｅｓ）、室内機４の制御部１１０は乾燥のための冷媒の供給要求を室外機３に送信する（ステップＳ４２）。乾燥のための冷媒は、空調コイル１２に供給されて空気１５を加熱させるための冷媒である。
【００７３】
ステップＳ４２において、乾燥運転要求、すなわち乾燥のための冷媒の供給要求を受信した室外機３は、室内機４の乾燥運転により、暖房負荷が増加するため、室外機３内の図示しない圧縮機を制御し、室内機４または換気装置５、または室内機４および換気装置５へ冷媒配管１および分岐ユニット９を介して供給する冷媒の温度または流量を調整する。
【００７４】
次いで、室内機４の制御部１１０は、室外機３から室外機３の運転状態を示す情報を取得して、室外機３が暖房または加湿のための冷媒を供給する運転を行っているか否かを判別する（ステップＳ４３）。空気調和システム１００では、室外機３が複数の室内機４および複数の換気装置５に冷媒の供給を行う。このため、室外機３は、少なくとも１つの室内機４または換気装置５から暖房または加湿のための冷媒の供給要求を受け付けたときは、暖房または加湿のための冷媒を供給する運転を行う。室外機３は、すべての室内機４およびすべての換気装置５から暖房または加湿のための冷媒の供給要求を受け付けることなく、少なくとも１つの室内機４または換気装置５から冷房のための冷媒の供給要求を受け付けたときは、冷房のための冷媒を供給する運転を行う。室外機３は、すべての室内機４およびすべての換気装置５から室外機３の運転停止要求、または乾燥運転要求を受け付けたときは、運転を停止する。
【００７５】
ステップＳ４３での判別の結果、室外機３が暖房または加湿のための冷媒を供給する運転を行っているときは（ステップＳ４３でＹｅｓ）、室内機４の制御部１１０は膨張弁２２を開状態にして行う乾燥運転（以下、当該乾燥運転を「乾燥運転（加速）」という。）のための駆動指令の出力を行う（ステップＳ４４）。たとえば、室内機４の制御部１１０は、送風機１１を運転させるための送風機駆動回路３２への駆動指令の出力と、給水弁２１を閉状態に制御するための給水弁駆動回路３３への駆動指令の出力と、膨張弁２２を開状態に制御するための膨張弁駆動回路３４への駆動指令の出力とを行う。これにより、室内機４の乾燥運転（加速）が実行される。
【００７６】
ステップＳ４３での判別の結果、室外機３が暖房または加湿のための冷媒を供給する運転を行っていないとき、すなわち室外機３が冷房のための冷媒を供給する運転を行っているとき、または室外機３が運転を停止しているときは（ステップＳ４３でＮｏ）、室内機４の制御部１１０は膨張弁２２を閉状態にして行う乾燥運転（以下、当該乾燥運転を「乾燥運転（通常）」という。）のための駆動指令の出力を行う（ステップＳ４５）。たとえば、室内機４の制御部１１０は、送風機１１を運転させるための送風機駆動回路３２への駆動指令の出力と、給水弁２１を閉状態に制御するための給水弁駆動回路３３への駆動指令の出力と、膨張弁２２を閉状態に制御するための膨張弁駆動回路３４への駆動指令の出力とを行う。これにより、室内機４の乾燥運転（通常）が実行される。
【００７７】
ステップＳ４１での判別の結果、乾燥運転が不要なとき、すなわち乾燥運転要求フラグがクリアされているときは（ステップＳ４１でＮｏ）、室内機４の制御部１１０は冷媒の供給停止要求を室外機３に送信する（ステップＳ４６）。
【００７８】
次いで、室内機４の制御部１１０は、運転停止のための駆動指令の出力を行う（ステップＳ４７）。たとえば、室内機４の制御部１１０は、送風機１１を停止させるための送風機駆動回路３２への駆動指令の出力と、給水弁２１を閉状態に制御するための給水弁駆動回路３３への駆動指令の出力と、膨張弁２２を閉状態に制御するための膨張弁駆動回路３４への駆動指令の出力とを行う。これにより、室内機４は運転を停止する。
【００７９】
ステップＳ４０での判別の結果、室内機４の制御部１１０がリモコン６または中央監視装置８から室内機４を運転させるための指令を受信したとき（ステップＳ４０でＹｅｓ）、ステップＳ４４、ステップＳ４５またはステップＳ４７の後に、室内機４の制御部１１０は本処理を終了する。図７は、上述した室内機４の各運転状態における駆動指令出力部１１４による駆動指令の出力の一例を説明するための図である。
【００８０】
図５の空調処理および図６の乾燥運転処理によれば、室内機４の加湿運転の後の乾燥運転において、室外機３が暖房または加湿のための冷媒を供給する運転を行っているときは、膨張弁２２が開状態となる。その結果、室外機３から室内機４に暖房または加湿のための冷媒が供給される。これにより、乾燥運転において空調コイル１２によって加熱された空気１５を加湿器１３に供給することができるため、加熱された空気１５を加湿器１３に供給しない場合と比較して加湿器１３を乾燥させるために必要な時間を短縮することができる。室外機３が暖房または加湿のための冷媒を供給する運転を行っている場合は、室内機４へ暖房または加湿のための冷媒を供給することにより膨張弁２２が閉状態の場合と比較して室外機３の負荷が増加しても室外機３の電力消費量の増加は僅かである。乾燥運転において送風機１１の運転時間を短縮することができることによる室内機４の電力消費量の削減量は室外機３の電力消費量の増加量と比較して多くなるため、空気調和システム１００全体での電力消費量は少なくなり、乾燥運転による電力の消費を削減することができる。
【００８１】
室内機４の制御部１１０は、ステップＳ１５において、暖房運転の設定温度と、温度センサ１４によって測定された空気１５の温度とを比較して、暖房運転を実施するか暖房停止運転を実施するかを決定していた。室内機４の制御部１１０は、ステップＳ２１にて、冷房運転の設定温度と、温度センサ１４によって測定された空気１５の温度とを比較して、冷房運転を実施するか冷房停止運転を実施するかを決定していた。室内機４の制御部１１０は、ステップＳ１５およびステップＳ２１において、温度センサ１４によって測定された空気１５の温度ではなく、リモコン６に搭載された図示しない温度センサによって検知された空調対象空間の室内温度を通信で取得し、または空気調和システム１００内の他の室内機４、換気装置５または中央監視装置８が保有する空調対象空間の室内温度を、通信線２を介して取得して、暖房運転または冷房運転の設定温度と比較するようにしてもよい。
【００８２】
換気装置５では、リモコン７に搭載された図示しない温度センサによって検知された空調対象空間の室内温度を通信で取得し、または空気調和システム１００内の他の室内機４、換気装置５または中央監視装置８が保有する空調対象空間の室内温度を、通信線２を介して取得して、暖房運転または冷房運転の設定温度と比較するようにしてもよい。換気装置５では、換気装置５が別途備える室外温度を計測するための図示しない温度センサによって検知された室外温度を取得し、または空気調和システム１００内の他の換気装置５、室外機３または中央監視装置８が保有する外気温度を、通信線２を介して取得して、暖房運転または冷房運転の設定温度と比較するようにしてもよい。
【００８３】
実施の形態２．
次に、本発明の実施の形態２にかかる空気調和システムについて説明する。本発明の実施の形態２にかかる空気調和システムは、室内機４の制御部１１０が第１の成績係数判別部１１７を備え、室内機４が図６の乾燥運転処理に代えて図１０の乾燥運転処理を実行する点が、上述した実施の形態１と異なり、重複した構成および作用については説明を省略し、以下に異なる構成および作用についての説明を行う。
【００８４】
図９は、本発明の実施の形態２にかかる空気調和システムの室内機の機能構成の一例を示すブロック図である。
【００８５】
図９において、室内機４の制御部１１０は、第１の成績係数判別部１１７を備える。
【００８６】
第１の成績係数判別部１１７は、室外機３から室外機３の負荷状況を示す負荷状況情報を取得して、室外機３の暖房または加湿のための冷媒を供給する運転の現在の成績係数が第１の領域内にあるか否かを判別する。室内機４が膨張弁２２を閉状態にして加湿器１３を乾燥させたときの室内機４の消費電力と、室内機４が膨張弁２２を開状態にして加湿器１３を乾燥させたときの室内機４の消費電力との差分は、室内機４の消費電力削減量である。第１の領域は、室内機４の消費電力削減量と、室外機３の負荷が増加することによる室外機３の消費電力増加量との間に、
室内機の消費電力削減量  ＞  室外機の消費電力増加量
との関係が成立する領域および室外機３の負荷が現在の負荷より増加すると成績係数が向上する領域である。
【００８７】
運転状態判別部１１５による判別の結果、室外機３が暖房または加湿のための冷媒を供給する運転を行っているとき、かつ第１の成績係数判別部１１７による判別の結果、室外機３の暖房または加湿のための冷媒を供給する運転の現在の成績係数が第１の領域内にあるときは、駆動指令出力部１１４は、室外機３が他の室内機４に供給している冷媒を室内機４に供給するように、膨張弁２２を開状態にするための駆動指令の出力を行う。
【００８８】
図１０は、本発明の実施の形態２にかかる空気調和システムの室内機が実行する乾燥運転処理のフローチャートである。ステップＳ５０以外は図６の乾燥運転処理と同様であるため、ステップＳ５０以外の説明は省略する。
【００８９】
図１０において、ステップＳ４３での判別の結果、室外機３が暖房または加湿のための冷媒を供給する運転を行っているときは（ステップＳ４３でＹｅｓ）、室内機４の第１の成績係数判別部１１７は、室外機３から室外機３の負荷状況を示す情報を取得して、室外機３の暖房または加湿のための冷媒を供給する運転の現在の成績係数（ＣＯＰ：Coefficient  Of  Performance）が図１１に示す領域１または領域２の範囲内にあるか否かを判別する（ステップＳ５０）。
【００９０】
図１１は、室外機３の暖房または加湿のための冷媒を供給する運転の成績係数（ＣＯＰ）を説明するための図である。図１１に示すように、暖房ＣＯＰは暖房負荷に応じて変化し、低負荷時において暖房ＣＯＰは低くなる。暖房ＣＯＰは、以下の数式（１）で算出される。
【００９１】
暖房ＣＯＰ＝暖房能力÷暖房消費電力  …（１）
図１１において、領域１は、室外機３の成績係数（ＣＯＰ）が一定値Ｃ１以上となる領域を示している。室内機４が膨張弁２２を閉状態にして加湿器１３を乾燥させたときの室内機４の消費電力と、室内機４が膨張弁２２を開状態にして加湿器１３を乾燥させたときの室内機４の消費電力との差分は、室内機４の消費電力削減量である。領域１は、室内機４の消費電力削減量と、室外機３の負荷が増加することによる室外機３の消費電力増加量との間に、
室内機４の消費電力削減量  ＞  室外機３の消費電力増加量
との関係が成立する領域であり、空気調和システム１００全体での電力消費量を削減できる領域である。
【００９２】
図１２は、室内機４の消費電力削減量を説明するための図である。図１２に示すように、乾燥運転において送風機１１の送風能力を強とし、膨張弁２２を閉状態にしたときの室内機４の消費電力量は、加湿器１３が乾燥するまでに３時間を要するため、
送風機１１の消費電力１．５ｋＷ×３時間＝４．５ｋＷｈ
となる。乾燥運転において送風機１１の送風能力を強とし、膨張弁２２を開状態にしたときの室内機４の消費電力量は、加湿器１３が乾燥するまでに１時間を要するため、
送風機１１の消費電力１．５ｋＷ×１時間＝１．５ｋＷｈ
となる。よって、室内機４の消費電力削減量は、
４．５ｋＷｈ−１．５ｋＷｈ＝３．０ｋＷｈ
となる。
【００９３】
図１３は、図１１における領域２を拡大した図である。領域２は成績係数がＣ１よりも低い領域であるが、室内機４が膨張弁２２を開状態にすることで暖房負荷が増加し、それに伴い成績係数が向上する領域である。成績係数が向上することで、室外機３の消費電力量が抑制でき、成績係数がＣ１未満でも空気調和システム１００全体での消費電力量を削減することができる。たとえば、室外機３の負荷Ｒ２を１０ｋＷとし、成績係数Ｃ２を２．５とすると、室外機３の消費電力は、
１０ｋＷ÷２．５＝４ｋＷ
となる。室内機４の乾燥運転において膨張弁２２を開状態にした場合、室外機３の暖房負荷の増加量は１ｋＷであるため、Ｒ３は１１ｋＷとなり、成績係数Ｃ３を２．６とすると、室外機３の消費電力は、
１１ｋＷ÷２．６＝４．２３ｋＷ
となる。よって、室外機３の消費電力量の増加量は、
（４．２３ｋＷ−４．００ｋＷ）×乾燥運転時間１時間＝０．２３ｋＷｈ
となる。室内機４の乾燥運転において膨張弁２２を開状態にしたときの消費電力量の削減量は３．０ｋＷｈであるため、
３．０ｋＷｈ−０．２３ｋＷｈ＝２．７７ｋＷｈ
だけ消費電力を削減することができる。
【００９４】
図１０に戻り、ステップＳ５０での判別の結果、室外機３の暖房または加湿のための冷媒を供給する運転の現在の成績係数（ＣＯＰ）が領域１または領域２の範囲内にあるときは（ステップＳ５０でＹｅｓ）、ステップＳ４４の処理に進む。これにより、室内機４の乾燥運転（加速）が実行される。
【００９５】
ステップＳ５０での判別の結果、室外機３の暖房または加湿のための冷媒を供給する運転の現在の成績係数（ＣＯＰ）が領域１または領域２の範囲内にないときは（ステップＳ５０でＮｏ）、ステップＳ４５の処理に進む。これにより、室内機４の乾燥運転（通常）が実行される。図１４は、室内機４の乾燥運転時の駆動指令出力部１１４による駆動指令の出力を説明するための図である。図１４に示すように、室内機４の乾燥運転時における膨張弁２２は、室外機３の運転状態が暖房または加湿のための冷媒を供給する運転であり、かつ室外機３の暖房または加湿のための冷媒を供給する運転の現在の成績係数（ＣＯＰ）が領域１または領域２の範囲内にあるときに、開状態となる。
【００９６】
図１０の乾燥運転処理によれば、室外機３が暖房または加湿のための冷媒を供給する運転を行っているときであって、室外機３の暖房または加湿のための冷媒を供給する運転の現在の成績係数（ＣＯＰ）が領域１または領域２の範囲内にあるときに、室内機４の膨張弁２２を開状態にして乾燥運転が行われる。これにより、室内機４の乾燥運転において室外機３および室内機４全体での消費電力が削減できるときに、室内機４の膨張弁２２を開状態にして乾燥運転を行うことができる。
【００９７】
実施の形態３．
次に、本発明の実施の形態３にかかる空気調和システムについて説明する。本発明の実施の形態３にかかる空気調和システムは、室内機４の制御部１１０が第１の送信部１１６を備えておらず第２の成績係数判別部１１８および第２の送信部１１９を備えており、室内機が図１０の乾燥運転処理に代えて図１６の乾燥運転処理を実行する点が、上述した実施の形態２と異なり、重複した構成および作用については説明を省略し、以下に異なる構成および作用についての説明を行う。
【００９８】
図１５は、本発明の実施の形態３にかかる空気調和システムの室内機の機能構成の一例を示すブロック図である。
【００９９】
図１５において、室内機４の制御部１１０は、第２の成績係数判別部１１８と、第２の送信部１１９とを備える。
【０１００】
第２の成績係数判別部１１８は、室外機３から室外機３の負荷状況を示す負荷状況情報を取得して、室外機３の暖房または加湿のための冷媒を供給する運転の現在の成績係数が第２の領域内にあるか否かを判別する。室内機４が膨張弁２２を開状態にして加湿器１３を乾燥させたときの室内機４の消費電力と、室内機４が膨張弁２２の開状態の度合いを調整して加湿器１３を乾燥させたときの室内機４の消費電力との差分は、室内機４の消費電力増加量である。第２の領域は、室内機４の消費電力増加量と、室外機３の負荷が変化することによる室外機３の消費電力削減量との間に、
室外機３の消費電力削減量  ＞  室内機４の消費電力増加量
との関係が成立する領域である。
【０１０１】
運転状態判別部１１５による判別の結果、室外機３が暖房または加湿のための冷媒を供給する運転を行っているとき、かつ第１の成績係数判別部１１７による判別の結果、室外機３の暖房または加湿のための冷媒を供給する運転の現在の成績係数が第１の領域内にあるとき、かつ第２の成績係数判別部１１８による判別の結果、室外機３の暖房または加湿のための冷媒を供給する運転の現在の成績係数が第２の領域内にあるときは、駆動指令出力部１１４は、室外機３が他の室内機４に供給している冷媒を室内機４に供給するように、膨張弁２２の開状態の度合いを調整するための駆動指令の出力を行う。
【０１０２】
第２の送信部１１９は、膨張弁２２を開状態にして、または膨張弁２２の開状態の度合いを調整して加湿器１３を乾燥させる乾燥運転を実行している旨の情報を室外機３に送信する。
【０１０３】
図１６は、本発明の実施の形態３にかかる空気調和システムの室内機が実行する乾燥運転処理のフローチャートである。ステップＳ５１およびステップＳ５２以外は図１０の乾燥運転処理と同様であるため、ステップＳ５１およびステップＳ５２以外の説明は省略する。
【０１０４】
図１６において、ステップＳ５０での判別の結果、室外機３の暖房または加湿のための冷媒を供給する運転の現在の成績係数（ＣＯＰ）が領域１または領域２の範囲内にあるときは（ステップＳ５０でＹｅｓ）、室内機４の第２の成績係数判別部１１８は、膨張弁２２の開状態の度合いを調整する必要があるか否かを判別する（ステップＳ５１）。たとえば、室内機４の第２の成績係数判別部１１８は、室外機３から室外機３の負荷状況を示す情報を取得して、室外機３の暖房または加湿のための冷媒を供給する運転の現在の成績係数（ＣＯＰ）が図１７に示すＣ６付近の領域内にあるか否かを判別する。
【０１０５】
図１７は、図１１における領域１を拡大した図である。室外機３を暖房負荷Ｒ４で運転しており、そのときの暖房負荷を５０ｋＷ、成績係数Ｃ４を３．９とすると、室外機３の消費電力は、
５０ｋＷ÷３．９＝１２．８ｋＷ
となる。室内機４の乾燥運転において膨張弁２２を開状態にした場合、室外機３の暖房負荷の増加量は１ｋＷであるため、暖房負荷Ｒ６は５１ｋＷとなり、成績係数Ｃ６を３．９５とすると、室外機３の消費電力は、
５１ｋＷ÷３．９５＝１２．９ｋＷ
となる。よって、室外機３の消費電力量の増加量は、
（１２．９ｋＷ−１２．８ｋＷ）×乾燥運転時間１時間＝０．１ｋＷｈ
となる。室内機４の乾燥運転において膨張弁２２を開状態にしたときの消費電力量の削減量は３．０ｋＷｈであるため、
３．０ｋＷｈ−０．１ｋＷｈ＝２．９ｋＷｈ
だけ消費電力量を削減できる。室内機４の乾燥運転において膨張弁２２の開状態の度合いを調整し、開状態の度合いを９０％としたとする。このとき、室内機４は、空調コイル１２による空気１５の加熱量が低下し、加湿器１３が乾燥するまでの時間が長くなる。たとえば、加湿器１３が乾燥するまでの時間を１．１時間とする。室外機３の暖房負荷の増加量は、
１．０ｋＷ×９０％＝０．９ｋＷ
であるため、暖房負荷Ｒ５は５０．９ｋＷとなり、成績係数Ｃ５を４．０とすると、室外機３の消費電力は、
５０．９ｋＷ÷４．０＝１２．７ｋＷ
となる。よって、室外機３の消費電力量の減少量は、
（１２．８ｋＷ−１２．７ｋＷ）×乾燥運転時間１．１時間＝０．１１ｋＷｈ
となり、０．１１ｋＷｈだけ減少する。室内機４の乾燥運転において膨張弁２２の開状態の度合いを９０％としたときの消費電力量は、
送風機の消費電力１．５ｋＷ×１．１時間＝１．６５ｋＷｈ
となり、室内機４の消費電力削減量は、
４．５ｋＷｈ−１．６５ｋＷｈ＝２．８５ｋＷｈ
となる。したがって、室内機４の乾燥運転において膨張弁２２の開状態の度合いを９０％としたときの消費電力量の削減量は、
２．８５ｋＷｈ＋０．１１ｋＷｈ＝２．９６ｋＷｈ
となり、膨張弁２２の開状態の度合いを１００％としたときの消費電力量の削減量である２．９ｋＷｈよりも消費電力の削減量を多くすることができる。
【０１０６】
図１６に戻り、ステップＳ５１での判別の結果、膨張弁２２の開状態の度合いを調整する必要があるときは（ステップＳ５１でＹｅｓ）、室内機４の駆動指令出力部１１４は、膨張弁２２の開状態の度合いを調整するための駆動指令の出力を行う（ステップＳ５２）。これにより、膨張弁２２の開状態の度合いが調整される。
【０１０７】
ステップＳ５１での判別の結果、膨張弁２２の開状態の度合いを調整する必要がないとき（ステップＳ５１でＮｏ）、またはステップＳ５２の後、ステップＳ４４の処理に進む。これにより、室内機４の乾燥運転（加速）が実行される。
【０１０８】
図１６の乾燥運転処理によれば、膨張弁２２の開状態の度合いを調整する必要があるときは、膨張弁２２の開状態の度合いを調整する。これにより、室内機４の乾燥運転において室外機３および室内機４全体での電力消費量をさらに削減することができる。
【０１０９】
実施の形態４．
次に、本発明の実施の形態４にかかる空気調和システムについて説明する。本発明の実施の形態４にかかる空気調和システムは、室内機４の制御部１１０がカウント部１２０を備え、室内機４が図６の乾燥運転処理に代えて図１９の乾燥運転処理を実行する点が、上述した実施の形態１と異なり、重複した構成および作用については説明を省略し、以下に異なる構成および作用についての説明を行う。
【０１１０】
図１８は、本発明の実施の形態４にかかる空気調和システムの室内機の機能構成の一例を示すブロック図である。
【０１１１】
図１８において、室内機４の制御部１１０は、カウント部１２０を備える。
【０１１２】
カウント部１２０は、駆動指令出力部１１４による駆動指令の出力内容に応じて、加湿器１３の乾燥運転の運転時間をカウントする。実施の形態１では、カウント値でカウントしていたが、実施の形態４では、分単位でカウントする。
【０１１３】
図１９は、本発明の実施の形態４にかかる空気調和システムの室内機が実行する乾燥運転処理のフローチャートである。実施の形態４にかかる空気調和システムの室内機が実行する乾燥運転処理は、実施の形態１にかかる空気調和システムの室内機が実行する乾燥運転処理と処理の順序が異なる。
【０１１４】
図１９において、まず、室内機４の駆動指令出力部１１４は、乾燥運転のための駆動指令の出力を行う（ステップＳ５０１）。これにより、室内機４の乾燥運転、すなわち上述した乾燥運転（通常）が実行される。
【０１１５】
次いで、室内機４の運転状態判別部１１５は、室外機３から室外機３の運転状態を示す情報を取得して、室外機３が暖房または加湿のための冷媒を供給する運転を行っているか否かを判別する（ステップＳ５０２）。
【０１１６】
ステップＳ５０２での判別の結果、室外機３が暖房または加湿のための冷媒を供給する運転を行っているときは（ステップＳ５０２でＹｅｓ）、室内機４の駆動指令出力部１１４は、膨張弁２２を開状態にするための駆動指令の出力を行う（ステップＳ５０３）。これにより、膨張弁２２が開状態となる。
【０１１７】
次いで、室内機４の第１の送信部１１６は、膨張弁２２を開状態にして室内機４の乾燥運転、すなわち上述した乾燥運転（加速）を実行している旨の情報を室外機３に送信する（ステップＳ５０４）。
【０１１８】
ステップＳ５０２での判別の結果、室外機３が暖房または加湿のための冷媒を供給する運転を行っていないとき、すなわち室外機３が冷房のための冷媒を供給する運転を行っているときまたは室外機３が運転を停止しているときは（ステップＳ５０２でＮｏ）、室内機４の駆動指令出力部１１４は、膨張弁２２を開状態にするための駆動指令の出力を行わない（ステップＳ５０５）。このため、膨張弁２２は閉状態のままとなる。
【０１１９】
ステップＳ５０４またはステップＳ５０５の後、室内機４のカウント部１２０は、駆動指令出力部１１４による駆動指令の出力内容に応じて、加湿器１３の乾燥運転の運転時間をカウントする（ステップＳ５０６）。
【０１２０】
図２０は、加湿器１３の乾燥運転の運転時間のカウント時間の一例を説明するための図である。膨張弁２２を閉状態にした場合、送風機１１の送風能力が弱→中→強と上昇すると、加湿器１３の乾燥運転の運転時間は９時間→６時間→３時間と減少する。膨張弁２２を開状態にした場合、送風機１１の送風能力が弱→中→強と上昇すると、加湿器１３の乾燥運転の運転時間は３時間→２時間→１時間と減少する。乾燥運転を１分間実行するごとに、乾燥運転の運転時間を駆動指令出力部１１４による駆動指令の出力内容に応じた図２０に示すカウント時間だけ加算し、合計値が９時間である５４０分に到達するまで乾燥運転を実行することで、乾燥運転において送風機１１の運転状況または膨張弁２２の開閉状態が変化しても、加湿器１３を確実に乾燥させることができる。送風機１１が停止している場合は、加湿器１３を乾燥させることはできないため、加湿器１３の乾燥運転のカウント時間は０分とする。
【０１２１】
図１９に戻り、次いで、室内機４の制御部１１０は、加湿器１３の乾燥運転のカウント時間が、加湿器１３が乾燥するまでに必要な時間に到達したか否かを判別する（ステップＳ５０７）。
【０１２２】
ステップＳ５０７での判別の結果、加湿器１３の乾燥運転のカウント時間が、加湿器１３が乾燥するまでに必要な時間に到達していないときは（ステップＳ５０７でＮｏ）、ステップＳ５０２の処理に戻る。ステップＳ５０７での判別の結果、加湿器１３の乾燥運転のカウント時間が、加湿器１３が乾燥するまでに必要な時間に到達したときは（ステップＳ５０７でＹｅｓ）、室内機４の駆動指令出力部１１４は、乾燥運転を停止させるための駆動指令の出力を行う（ステップＳ５０８）。これにより、室内機４の乾燥運転が停止する。その後に、本処理を終了する。
【０１２３】
図２１は、本発明の実施の形態４にかかる空気調和システムの動作の一例を説明するためのタイミング図である。図２１では、室外機３には室内機４ａ、室内機４ｂおよび室内機４ｃが接続されているものとし、室内機４ｂおよび室内機４ｃは加湿器１３を備えておらず、室内機４ｂおよび室内機４ｃは加湿器１３の乾燥運転を行わないものとする。
【０１２４】
図２１において、時刻ｔ０において、室内機４ａは加湿運転をし、室内機４ｂは暖房運転をし、室内機４ｃは停止しているとする。室外機３には、室内機４ａから加湿のための冷媒の供給要求が送信され、室内機４ｂから暖房のための冷媒の供給要求が送信され、室内機４ｃから室外機３の運転停止要求が送信される。その結果、室外機３は暖房または加湿のための冷媒を供給する運転となる。
【０１２５】
時刻ｔ１において、室内機４ａはリモコン６ａから室内機４ａを停止させるための指令を受け付けると、室内機４の運転状態が加湿運転から停止へ変化し、加湿器１３を乾燥させるための乾燥運転が開始される。室内機４ａは、乾燥運転を開始したため、室外機３には、室外機３の運転停止要求が送信されるが、室内機４ｂから暖房のための冷媒の供給要求が送信されているため、室外機３は暖房または加湿のための冷媒を供給する運転となる。室内機４ａは、室外機３が暖房または加湿のための冷媒を供給する運転のため、給水弁２１を閉状態とし、送風機１１を、送風能力を強とした運転とし、膨張弁２２を開状態とした、乾燥運転を行う。送風機１１が送風能力を強とした運転であり、膨張弁２２が開状態であるため、乾燥運転のカウント時間は＋９分となる。時刻ｔ１から時刻ｔ２までの時間を２０分とすると、時刻ｔ２のときの乾燥運転のカウント時間は、
２０分間×乾燥運転のカウント時間（９分）＝１８０分
となる。
【０１２６】
時刻ｔ２において、室内機４ｂがリモコン６ｂから室内機４ｂを停止させるための指令を受け付けると、室外機３には室内機４ｂから室外機３の運転停止要求が送信される。室外機３には、室内機４ａ、室内機４ｂおよび室内機４ｃから室外機３の運転停止要求が送信されるため、室外機３は運転を停止する。室内機４ａは、室外機３の運転が停止したため、膨張弁２２を閉状態とする。送風機１１が送風能力を強とした運転であり、膨張弁２２が閉状態であるため、乾燥運転のカウント時間は＋３分となる。時刻ｔ２から時刻ｔ３までの時間を６０分とすると、時刻ｔ３のときの乾燥運転のカウント時間は、
時刻ｔ２までの乾燥運転のカウント時間（１８０分）＋６０分間×乾燥運転のカウント時間（３分）＝３６０分
となる。
【０１２７】
時刻ｔ３において、室内機４ｃがリモコン６ｃから室内機４ｃを暖房運転させるための指令を受け付けると、室外機３には室内機４ｃから暖房のための冷媒の供給要求が送信される。室外機３は、室内機４ｃから暖房のための冷媒の供給要求を受け付けると、室外機３は暖房または加湿のための冷媒を供給する運転となり、室内機４ａは室外機３が暖房または加湿のための冷媒を供給する運転のため、給水弁２１を閉状態とし、送風機１１を、送風能力を強として運転とし、膨張弁２２を開状態にして、乾燥運転を行う。送風機１１が送風能力を強とした運転であり、膨張弁２２が開状態であるため、乾燥運転のカウント時間は＋９分となる。時刻ｔ３までの乾燥運転のカウント時間は３６０分であるため、残りの乾燥運転の運転時間は１８０分となる。時刻ｔ３から時刻ｔ４までの時間を２０分とすると、時刻ｔ４のときの乾燥運転のカウント時間は、
時刻ｔ３までの乾燥運転のカウント時間（３６０分）＋２０分間×乾燥運転のカウント時間（９分）＝５４０分
となる。乾燥運転のカウント時間が５４０分に到達したので、室内機４ａは乾燥運転を停止する。室内機４ａは室外機３に室外機３の運転停止要求を送信するが、室外機３は室内機４ｃから暖房のための冷媒の供給要求を受け付けているため、暖房または加湿のための冷媒を供給する運転のままとなる。
【０１２８】
図１９の乾燥運転処理によれば、駆動指令出力部１１４による駆動指令の出力内容に応じて、加湿器１３の乾燥運転の運転時間をカウントし、加湿器１３の乾燥運転のカウント時間が、加湿器１３が乾燥するまでに必要な時間に到達したときに、室内機４の乾燥運転を停止する。これにより、室外機３、他の室内機４および換気装置５の運転状態が変化した場合においても、乾燥運転を適切な時間まで行うことができる。
【０１２９】
実施の形態５．
次に、本発明の実施の形態５にかかる空気調和システムについて説明する。本発明の実施の形態５にかかる空気調和システムは、室内機４の制御部１１０が第１の設定情報取得部１２１および第２の設定情報取得部１２２を備え、室内機４が図６の乾燥運転処理に代えて図２３の乾燥運転処理を実行する点が、上述した実施の形態１と異なる。重複した構成および作用については説明を省略し、以下に異なる構成および作用についての説明を行う。
【０１３０】
図２２は、本発明の実施の形態５にかかる空気調和システムの室内機の機能構成の一例を示すブロック図である。
【０１３１】
図２２において、室内機４の制御部１１０は、第１の設定情報取得部１２１と、第２の設定情報取得部１２２とを備える。
【０１３２】
第１の設定情報取得部１２１は、膨張弁２２の開条件の設定情報を取得する。駆動指令出力部１１４は、第１の設定情報取得部１２１が取得した膨張弁２２の開条件の設定情報に基づいて、加湿器１３の乾燥運転のための駆動指令の出力を行う。第２の設定情報取得部１２２は、送風機１１の運転条件の設定情報を取得する。駆動指令出力部１１４は、第２の設定情報取得部１２２が取得した送風機１１の運転条件の設定情報に基づいて、加湿器１３の乾燥運転のための駆動指令の出力を行う。
【０１３３】
図２３は、本発明の実施の形態５にかかる空気調和システムの室内機が実行する乾燥運転処理のフローチャートである。
【０１３４】
図２３において、まず、室内機４の第１の設定情報取得部１２１は、機能設定回路３６から送信された膨張弁２２の開条件の設定情報を取得する（ステップＳ６０１）。図２４は、機能設定回路３６による膨張弁２２の開条件の設定情報を説明するための図である。図２４において、設定１は、加湿運転停止後に乾燥運転を実行せずに、ユーザによって室内機４の送風運転を行うことで、加湿器１３の乾燥運転を行うようにする設定である。設定２は、室外機３が暖房または加湿のための冷媒を供給する運転であれば、室外機３の暖房ＣＯＰの領域によらずに、室内機４の乾燥運転を行うようにする設定である。設定３は、室外機３が暖房または加湿のための冷媒を供給する運転であり、かつ室外機３の暖房ＣＯＰ領域が領域１または領域２の範囲内であれば、室内機４の乾燥運転を行うようにする設定である。設定４は、室外機３の運転状態によらずに、膨張弁２２を閉状態にして室内機４の乾燥運転、すなわち上述した乾燥運転（通常）を行うようにする設定である。設定５は、室外機３の運転状態によらずに、膨張弁２２を開状態にして室内機４の乾燥運転、すなわち上述した乾燥運転（加速）を行うようにする設定である。たとえば、設定５では、室内機４の乾燥運転を短時間で停止させたいユーザが設定することができる。
【０１３５】
次いで、室内機４の第２の設定情報取得部１２２は、機能設定回路３６から送信された送風機１１の運転条件の設定情報を取得する（ステップＳ６０２）。図２５は、機能設定回路３６による送風機１１の運転条件の設定情報を説明するための図である。図２５において、設定１、設定２および設定３は、室内機４の乾燥運転における送風機１１の送風能力を固定する設定である。設定４、設定５および設定６は、室外機３が暖房または加湿のための冷媒を供給する運転であれば、室外機３の暖房ＣＯＰの領域によらず、送風機１１の送風能力を固定して運転させ、室外機３が暖房または加湿のための冷媒を供給する運転以外の運転を行っているときは、室内機４の乾燥運転を実行しないようにする設定である。設定７、設定８および設定９は、室外機３が暖房または加湿のための冷媒を供給する運転であり、かつ室外機３の暖房ＣＯＰの領域が領域１または領域２の範囲内であれば、送風機１１の送風能力を固定して運転させ、室外機３が暖房または加湿のための冷媒を供給する運転以外の運転を行っている、または室外機３の暖房ＣＯＰの領域が領域１または領域２の範囲外であるときは、室内機４の乾燥運転を実行しないようにする設定である。たとえば、設定１、設定２および設定３では、送風機１１による動作音および送風音を制御することができる。設定４、設定５および設定６では、室内機４の乾燥運転において温風が室内に供給されるため、室内温度の低下を抑制することができる。設定７、設定８および９では、室内機４の乾燥運転において消費電力を抑制することができる。
【０１３６】
次いで、室内機４の駆動指令出力部１１４は、第１の設定情報取得部１２１が取得した膨張弁２２の開条件の設定情報および第２の設定情報取得部１２２が取得した送風機１１の運転条件の設定情報に基づいて、乾燥運転のための駆動指令の出力を行う（ステップＳ６０３）。これにより、上述した膨張弁２２の開条件の設定情報および送風機１１の運転条件の設定情報に基づく室内機４の乾燥運転が実行される。その後に、本処理を終了する。
【０１３７】
図２３の乾燥運転処理によれば、膨張弁２２の開条件および送風機１１の運転条件を柔軟に設定することができるため、ユーザは使用状況に応じて、乾燥運転の動作を設定することができる。
【０１３８】
実施の形態６．
上述した実施の形態１から実施の形態５では、送風機１１を備えた室内機４について説明したが、換気装置５である室外の空気を室内へ取り込む換気機能を備えた熱交換換気装置についても同様の実施が可能である。
【０１３９】
図２６は、本発明の実施の形態６にかかる空気調和システムの換気装置の構成例を概略的に示す図である。
【０１４０】
図２６に示すように、換気装置５は、本体箱体に熱交換器５１と排気送風機５２と給気送風機５３とが組み込まれて構成されている。給気送風機５３は給気風路５４内に配置され、室外側吸込口（ＯＡ）５５から熱交換器５１を通り室内側吐出口（ＳＡ）５６へ空気を供給する。排気送風機５２は排気風路５７内に配置され、室内側吸込口（ＲＡ）５８から熱交換器５１を通り室外側吐出口（ＥＡ）５９へ空気を排出する。熱交換器５１は、上記供給する空気と排出する空気との間で、空気対空気での熱交換を行う。排気送風機５２と給気送風機５３とは、制御装置６０により独立に駆動制御される。
【０１４１】
給気風路５４内の熱交換器５１の出口側には、空調コイル６１および加湿器６２が配置される。制御装置６０によって、空調コイル６１へ冷媒配管１を介して供給する冷媒流量を調整する膨張弁６６と、給水口６７から加湿器６２へ給水配管６８を介して供給する水量を制御する給水弁６５とが、独立に駆動制御される。熱交換器５１のＲＡ側には、室内湿度を計測する湿度センサ６４が配置されている。
【０１４２】
図２７は、図２６における制御装置のハードウェア構成の一例を示すブロック図である。
【０１４３】
図２７において、制御装置６０は、マイクロコンピュータ７０と、給気送風機駆動回路７１と、排気送風機駆動回路７２とを備える。
【０１４４】
給気送風機駆動回路７１は、給気送風機５３に接続されている。給気送風機駆動回路７１は、マイクロコンピュータ７０からの指令に基づいて、給気送風機５３の送風能力を多段階制御することができる。たとえば、給気送風機駆動回路７１は、給気送風機５３の送風能力を弱、中および強の３段階に切り替えることができる。
【０１４５】
排気送風機駆動回路７２は、排気送風機５２に接続されている。排気送風機駆動回路７２は、マイクロコンピュータ７０からの指令に基づいて、排気送風機５２の送風能力を多段階制御することができる。たとえば、排気送風機駆動回路７２は、排気送風機５２の送風能力を弱、中および強の３段階に切り替えることができる。
【０１４６】
マイクロコンピュータ７０は、給気送風機５３を駆動するための給気送風機駆動回路７１への駆動指令、および排気送風機５２を駆動するための排気送風機駆動回路７２への駆動指令を生成する。そして、マイクロコンピュータ７０は、給気送風機５３を駆動するための給気送風機駆動回路７１への駆動指令の出力と、排気送風機５２を駆動するための排気送風機駆動回路７２への駆動指令の出力とを行う。
【０１４７】
実施の形態７．
実施の形態１から実施の形態６に示した空気調和システムでは、室内機４が室外機３の運転情報および負荷情報を取得して、乾燥運転時に膨張弁２２の開閉状態および開状態の程度（以下、開状態の程度を「開度」という。）を判断していた。本発明の実施の形態７では、通信線２によって室外機３、室内機４および換気装置５と接続された中央監視装置８にて、乾燥運転時の各室内機４および各換気装置５に搭載された膨張弁２２の開閉状態および開度を判断する場合について説明する。実施の形態１から実施の形態６では、室内機４が運転状態判別部１１５を備えていたが、運転状態判別部１１５と同様の機能部を中央監視装置８が備えていてもよく、室外機３が備えていてもよい。
【０１４８】
まず、本発明の実施の形態７にかかる空気調和システムが実行する処理について説明する。図２８は、本発明の実施の形態７にかかる空気調和システムが実行する処理のシーケンス図である。
【０１４９】
まず、室内機４は加湿運転を実施していたとする。室内機４に接続されたリモコン６によって加湿運転停止操作が行われ、その指令を室内機４はリモコン６より受信する（シーケンスＳＱ０１）。
【０１５０】
室内機４は、加湿運転停止操作が行われたことにより、加湿運転を停止して、乾燥運転を開始する。このとき、室内機４は、送風機１１の送風能力を強とし、膨張弁２２を閉状態にし、給水弁２１を閉状態にして乾燥運転を実施する（シーケンスＳＱ０２）。
【０１５１】
室内機４は、中央監視装置８へ、乾燥運転を開始したこと、膨張弁２２の開閉状態に応じた「室外機３の暖房負荷増加量」の情報、「乾燥運転に要する時間」の情報および「乾燥運転に要する消費電力量」の情報を乾燥運転要求コマンドにて送信する（シーケンスＳＱ０３）。
【０１５２】
図２９は、シーケンスＳＱ０３において室内機４が中央監視装置８に送信するデータの内容の一例を説明するための図である。たとえば、室内機４の送風機１１の送風能力を強とした時の消費電力を１．５ｋＷとする。膨張弁２２が「０％だけ開、すなわち閉状態」のとき、室内機４の暖房能力により定まる室外機３の暖房負荷増加量は「０ｋＷ」となり、乾燥運転に要する時間は「９時間」となる。そのため、室内機４が乾燥運転に要する消費電力は、
１．５ｋＷ  ×  ９時間  ＝  １３．５ｋＷｈ
となる。
【０１５３】
同様に、膨張弁２２が「５０％だけ開、すなわち半開状態」のとき、室内機４の暖房能力により定まる室外機３の暖房負荷増加量は「２ｋＷ」となり、乾燥運転に要する時間は「６時間」となる。そのため、室内機４が乾燥運転に要する消費電力は、
１．５ｋＷ  ×  ６時間  ＝  ９．０ｋＷｈ
となる。
【０１５４】
同様に、膨張弁２２が「１００％だけ開、すなわち全開状態」のとき、室内機４の暖房能力により定まる室外機３の暖房負荷増加量は「４ｋＷ」となり、乾燥運転に要する時間は「３時間」となる。そのため、室内機４が乾燥運転に要する消費電力は、
１．５ｋＷ  ×  ３時間  ＝  ４．５ｋＷｈ
となる。
【０１５５】
シーケンスＳＱ０３では、上述した「膨張弁２２が０％だけ開のとき、０ｋＷ、９時間、１３．５ｋＷｈ」との情報、「膨張弁２２が５０％だけ開のとき、２ｋＷ、６時間、９．０ｋＷｈ」との情報、または「膨張弁２２が１００％だけ開のとき、４ｋＷ、３時間、４．５ｋＷｈ」との情報を乾燥運転要求コマンドによって室内機４から中央監視装置８へ送信する。本実施の形態では、送信するデータを膨張弁２２の開度が０％，５０％および１００％の３パターンとしたが、膨張弁２２の開度をより細かく、たとえば１０％刻みとしてもよい。
【０１５６】
次いで、中央監視装置８は、室内機４から乾燥運転要求コマンドを受信したときは、室外機３の運転状態、および室内機４の膨張弁２２の開度が０％，５０％および１００％になったときの室外機３の暖房負荷増加量に対する室外機３の消費電力量を要求するための運転状態要求コマンドを、室外機３へ送信する（シーケンスＳＱ０４）。
【０１５７】
次いで、室外機３は、シーケンスＳＱ０４で中央監視装置８から要求された室外機３の運転状態、および室内機４が乾燥運転となり、膨張弁２２の開度が０％，５０％および１００％になったときの各暖房負荷増加量、すなわち０ｋＷ、２ｋＷおよび４ｋＷに対する室外機３の消費電力増加量を運転状態応答コマンドによって中央監視装置８へ送信する（シーケンスＳＱ０５）。
【０１５８】
図３０は、シーケンスＳＱ０５において室外機３が中央監視装置８に送信するデータの内容の一例を説明するための図である。室外機３は、室内機４が各暖房負荷増加量、すなわち０ｋＷ、２ｋＷおよび４ｋＷで運転した時の、室外機３の消費電力の増加量を算出する。室外機３の現在の暖房負荷を５０ｋＷとし、ＣＯＰを４．０とすると、室内機４の暖房負荷増加量が０ｋＷのときは、暖房負荷の増加がないため、この時の室外機３の消費電力は、
５０ｋＷ  ÷  ４．０  ＝  １２．５ｋＷ
となる。
【０１５９】
同様に、室内機４の暖房負荷増加量が２ｋＷのとき、室外機３のＣＯＰは３．９に低下し、消費電力は、
（５０ｋＷ  ＋  ２ｋＷ）  ÷  ３．９  ＝  １３．３ｋＷ
となる。そのため、室外機３の消費電力は、
１３．３ｋＷ  −  １２．５ｋＷ  ＝  ０．８ｋＷ
の増加となる。
【０１６０】
同様に、室内機４の暖房負荷増加量が４ｋＷのとき、室外機３のＣＯＰは３．８に低下し、消費電力は、
（５０ｋＷ  ＋  ４ｋＷ）  ÷  ３．８  ＝  １４．２ｋＷ
となる。そのため、室外機３の消費電力は、
１４．２ｋＷ  −  １２．５ｋＷ  ＝  １．７ｋＷ
の増加となる。
【０１６１】
シーケンスＳＱ０５では、上述した「暖房負荷増加量０ｋＷのとき、消費電力０ｋＷ増加」との情報、「暖房負荷増加量２ｋＷのとき、消費電力０．８ｋＷ増加」との情報、または「暖房負荷増加量４ｋＷのとき、消費電力１．７ｋＷ増加」との情報を運転状態応答コマンドによって室外機３から中央監視装置８へ送信する。本実施の形態では、現在の暖房負荷、たとえば上述した例では５０ｋＷに対し、室内機４の乾燥運転による暖房負荷増加量が僅かとなり、ＣＯＰの変動が極めて小さい場合は、消費電力の算出を簡素化するために、一律現在のＣＯＰで算出するようにしてもよい。すなわち、上述した例ではＣＯＰを４．０として、各条件の消費電力量を算出するようにしてもよい。
【０１６２】
次いで、中央監視装置８は、シーケンスＳＱ０５で室外機３から受信した「室外機３の消費電力増加量」の情報と、シーケンスＳＱ０３で室内機４から受信した「乾燥運転時間」の情報および「乾燥運転に要する消費電力量」の情報とに基づいて、室内機４の乾燥運転判定を行う（シーケンスＳＱ０６）。
【０１６３】
まず、中央監視装置８は、室内機４の膨張弁２２が「膨張弁２２が０％だけ開のとき」について、空気調和システム全体の消費電力量の増減を算出する。室内機４の乾燥運転に要する消費電力量は、シーケンスＳＱ０３で受信した「乾燥運転に要する消費電力量」の情報より、１３．５ｋＷｈである。室外機３の乾燥運転に要する消費電力量は、シーケンスＳＱ０３で受信した「乾燥運転時間」の情報、およびシーケンスＳＱ０５で受信した「室外機３の消費電力増加量」の情報より、
９時間  ×  ０ｋＷ  ＝  ０ｋＷｈ
である。したがって、空気調和システム全体の消費電力量は、
１３．５ｋＷｈ  ＋  ０ｋＷｈ  ＝  １３．５ｋＷｈ
となる。
【０１６４】
同様に、中央監視装置８は、室内機４の膨張弁２２が「膨張弁２２が５０％だけ開のとき」について、空気調和システム全体の消費電力量の増減を算出する。室内機４の乾燥運転に要する消費電力量は、シーケンスＳＱ０３で受信した「乾燥運転に要する消費電力量」の情報より、９．０ｋＷｈである。室外機３の乾燥運転に要する消費電力量は、シーケンスＳＱ０３で受信した「乾燥運転時間」の情報、およびシーケンスＳＱ０５で受信した「室外機３の消費電力増加量」の情報より、
６時間  ×  ０．８ｋＷ  ＝  ４．８ｋＷｈ
である。したがって、空気調和システム全体の消費電力量は、
９．０ｋＷｈ  ＋  ４．８ｋＷｈ  ＝  １３．８ｋＷｈ
となる。
【０１６５】
同様に、中央監視装置８は、室内機４の膨張弁２２が「膨張弁２２が１００％だけ開のとき」について、空気調和システム全体の消費電力量の増減を算出する。室内機４の乾燥運転に要する消費電力量は、シーケンスＳＱ０３で受信した「乾燥運転に要する消費電力量」の情報より、４．５ｋＷｈである。室外機３の乾燥運転に要する消費電力量は、シーケンスＳＱ０３で受信した「乾燥運転時間」の情報、およびシーケンスＳＱ０５で受信した「室外機３の消費電力増加量」の情報より、
３時間  ×  １．７ｋＷ  ＝  ５．１ｋＷｈ
である。したがって、空気調和システム全体の消費電力量は、
４．５ｋＷｈ  ＋  ５．１ｋＷｈ  ＝  ９．６ｋＷｈ
となる。
【０１６６】
シーケンスＳＱ０６では、中央監視装置８は、空気調和システム全体の消費電力量が最も低くなる「膨張弁２２が１００％だけ開のとき」で室内機４を乾燥運転させるようにすると判定する。
【０１６７】
次いで、シーケンスＳＱ０６での判定結果に基づいて、中央監視装置８は、室内機４へ「開度１００％」で乾燥運転を行うように、開度指令値、すなわち開度１００％の情報を乾燥運転応答コマンドにて送信する（シーケンスＳＱ０７）。
【０１６８】
次いで、室内機４は、シーケンスＳＱ０７で中央監視装置８より受信した開度指令値の情報に基づいて、乾燥運転を実施する。これにより、室内機４は、送風機１１の送風能力を強とし、膨張弁２２の開度を１００％にした開状態にし、給水弁２１を閉状態にして乾燥運転を実施する（シーケンスＳＱ０８）。
【０１６９】
次いで、室内機４は、室外機３へ「膨張弁２２の開度を１００％だけ開」にする旨の情報を送信する（シーケンスＳＱ０９）。
【０１７０】
次いで、室外機３は、シーケンスＳＱ０９にて室内機４から受信した「膨張弁２２の開度を１００％だけ開」にする旨の情報に基づいて、室内機４の膨張弁２２の開度が１００％だけ開状態となり暖房負荷が増加するため、室外機３内の図示しない圧縮機を制御し、室内機４および換気装置５のうちの少なくとも一方へ冷媒配管１および分岐ユニット９を介して供給する冷媒の温度または流量を調整する（シーケンスＳＱ１０）。
【０１７１】
次いで、室外機３に接続されている他の室内機４または換気装置５が操作され、当該操作により室外機３の暖房負荷が変動したとする。たとえば、他のいくつかの室内機４または換気装置５が停止し、暖房負荷が１０ｋＷに減少したとする（シーケンスＳＱ１１）。
【０１７２】
室外機３は、シーケンスＳＱ１１での暖房負荷の変動に応じて、室外機３内の図示しない圧縮機を制御し、室内機４または換気装置５、または室内機４および換気装置５へ冷媒配管１および分岐ユニット９を介した冷媒の供給を行う。この場合の暖房負荷は、乾燥運転を実施している室内機４の「２ｋＷ」と、他の室内機４または換気装置５による暖房負荷「１０ｋＷ」との合計である「１２ｋＷ」となる（シーケンスＳＱ１２）。
【０１７３】
室外機３は、シーケンスＳＱ１１において暖房負荷が変動したことで、室内機４が乾燥運転となり、膨張弁２２の開度が０％，５０％または１００％になったときの各暖房負荷増加量、すなわち０ｋＷ，２ｋＷまたは４ｋＷに対する室外機３の消費電力増加量を再計算する。そして、室外機３の運転状態、および再計算した室内機４が乾燥運転となり、膨張弁２２の開度が０％，５０％または１００％になったときの各暖房負荷増加量、すなわち０ｋＷ，２ｋＷまたは４ｋＷに対する室外機３の消費電力増加量を中央監視装置８へ運転状態応答コマンドによって送信する（シーケンスＳＱ１３）。
【０１７４】
図３１は、シーケンスＳＱ１３において室外機３が中央監視装置８に送信するデータの内容の一例を説明するための図である。室外機３は、室内機４が各暖房負荷増加量、すなわち０ｋＷ，２ｋＷまたは４ｋＷで運転した時の、室外機３の消費電力の増加量を算出する。室外機３の現在の暖房負荷を１０ｋＷとし、ＣＯＰを２．５０とすると、室内機４の暖房負荷増加量が０ｋＷのときは、暖房負荷の増加がないため、この時の室外機３の消費電力は、
１０ｋＷ  ÷  ２．５０  ＝  ４．０ｋＷ
となる。
【０１７５】
同様に、室内機４の暖房負荷増加量が２ｋＷのとき、室外機３のＣＯＰは２．６５に増加し、消費電力は、
（１０ｋＷ  ＋  ２ｋＷ）  ÷  ２．６５  ＝  ４．５ｋＷ
となる。そのため、室外機３の消費電力は、
４．５ｋＷ  −  ４．０ｋＷ  ＝  ０．５ｋＷ
の増加となる。
【０１７６】
同様に、室内機４の暖房負荷増加量が４ｋＷのとき、室外機３のＣＯＰは２．７５に増加し、消費電力は、
（１０ｋＷ  ＋  ４ｋＷ）  ÷  ２．７５  ＝  ５．１ｋＷ
となる。そのため、室外機３の消費電力は、
５．１ｋＷ  −  ４．０ｋＷ  ＝  １．１ｋＷ
の増加となる。
【０１７７】
シーケンスＳＱ１３では、上述した「暖房負荷増加量０ｋＷのとき、消費電力０ｋＷ増加」との情報、「暖房負荷増加量２ｋＷのとき、消費電力０．５ｋＷ増加」との情報、または「暖房負荷増加量４ｋＷのとき、消費電力１．１ｋＷ増加」との情報を運転状態応答コマンドによって室外機３から中央監視装置８へ送信する。
【０１７８】
次いで、中央監視装置８は、シーケンスＳＱ１３で室外機３から受信した「室外機３の消費電力増加量」の情報と、シーケンスＳＱ０３で室内機４から受信した「乾燥運転時間」の情報および「乾燥運転に要する消費電力量」の情報とに基づいて、室内機４の乾燥運転判定を行う（シーケンスＳＱ１４）。
【０１７９】
まず、中央監視装置８は、室内機４の膨張弁２２が「膨張弁２２が０％だけ開のとき」について、空気調和システム全体の消費電力量の増減を算出する。室内機４の乾燥運転に要する消費電力量は、シーケンスＳ０３で受信した「乾燥運転に要する消費電力量」の情報より、１３．５ｋＷｈである。室外機３の乾燥運転に要する消費電力量は、シーケンスＳＱ０３で受信した「乾燥運転時間」の情報、およびシーケンスＳＱ１３で受信した「室外機３の消費電力増加量」の情報より、
９時間  ×  ０ｋＷ  ＝  ０ｋＷｈ
である。したがって、空気調和システム全体の消費電力量は、
１３．５ｋＷｈ  ＋  ０ｋＷｈ  ＝  １３．５ｋＷｈ
となる。
【０１８０】
同様に、中央監視装置８は、室内機４の膨張弁２２が「膨張弁２２が５０％だけ開のとき」について、空気調和システム全体の消費電力量の増減を算出する。室内機４の乾燥運転に要する消費電力量は、シーケンスＳＱ０３で受信した「乾燥運転に要する消費電力量」の情報より、９．０ｋＷｈである。室外機３の乾燥運転に要する消費電力量は、シーケンスＳＱ０３で受信した「乾燥運転時間」の情報、およびシーケンスＳＱ１３で受信した「室外機３の消費電力増加量」の情報より、
６時間  ×  （０．５ｋＷ）  ＝  ３．０ｋＷｈ
である。したがって、空気調和システム全体の消費電力量は、
９．０ｋＷｈ  ＋  （３．０ｋＷｈ）  ＝  １２．０ｋＷｈ
となる。
【０１８１】
同様に、中央監視装置８は、室内機４の膨張弁２２が「膨張弁２２が１００％だけ開のとき」について、空気調和システム全体の消費電力量の増減を算出する。室内機４の乾燥運転に要する消費電力量は、シーケンスＳＱ０３で受信した「乾燥運転に要する消費電力量」の情報より、４．５ｋＷｈである。室外機３の乾燥運転に要する消費電力量は、シーケンスＳＱ０３で受信した「乾燥運転時間」の情報、およびシーケンスＳＱ１３で受信した「室外機３の消費電力増加量」の情報より、
３時間  ×  （１．１ｋＷ）  ＝  ３．３ｋＷｈ
である。したがって、空気調和システム全体の消費電力量は、
４．５ｋＷｈ  ＋  （３．３ｋＷｈ）  ＝  ７．８ｋＷｈ
となる。
【０１８２】
シーケンスＳＱ１４では、中央監視装置８は、空気調和システム全体の消費電力量が最も低くなる「膨張弁２２が１００％だけ開のとき」で室内機４を乾燥運転させるように変更すると判定する。
【０１８３】
次いで、シーケンスＳＱ１４での判定結果に基づいて、中央監視装置８は、室内機４へ「開度１００％」で乾燥運転を行うように、開度指令値、すなわち開度１００％の情報を乾燥運転応答コマンドによって送信する（シーケンスＳＱ１５）。
【０１８４】
次いで、室内機４は、シーケンスＳＱ１５で中央監視装置８より受信した開度指令値の情報に基づいて、乾燥運転を実施する。これにより、室内機４は、送風機１１の送風能力を強とし、膨張弁２２の開度を１００％にした開状態にし、給水弁２１を閉状態にして乾燥運転を実施する（シーケンスＳＱ１６）。
【０１８５】
次いで、室内機４は、室外機３へ「膨張弁２２の開度を１００％だけ開」にする旨の情報を送信する（シーケンスＳＱ１７）。
【０１８６】
次いで、室外機３は、シーケンスＳＱ１７にて室内機４から受信した「膨張弁２２の開度を１００％だけ開」にする旨の情報に基づいて、室内機４の膨張弁２２の開度が１００％だけ開状態となり暖房負荷が減少するため、室外機３内の図示しない圧縮機を制御し、室内機４および換気装置５のうちの少なくとも一方へ冷媒配管１および分岐ユニット９を介して供給する冷媒の温度または流量を調整する（シーケンスＳＱ１８）。
【０１８７】
その後、室内機４は、乾燥運転の運転時間が所定時間を経過したときは、乾燥運転を終了する（シーケンスＳＱ１９）。
【０１８８】
次いで、室内機４は、中央監視装置８へ乾燥運転を終了したことを通知する（シーケンスＳＱ２０）。
【０１８９】
次いで、室内機４は、乾燥運転の終了により「膨張弁２２の開度を０％だけ開」にする旨の情報を室外機３へ送信する（シーケンスＳＱ２１）。
【０１９０】
次いで、室外機３は、シーケンスＳＱ２１において室内機４から受信した「膨張弁２２の開度を０％だけ開」にする旨の情報に基づいて、室内機４の膨張弁２２の開度が０％だけ開状態となり暖房負荷が減少するため、室外機３内の図示しない圧縮機を制御し、室内機４および換気装置５のうちの少なくとも一方へ冷媒配管１および分岐ユニット９を介して供給する冷媒の温度または流量を調整する（シーケンスＳＱ２２）。
【０１９１】
次に、実施の形態７における室内機が実行する乾燥運転処理について説明する。図３２は、実施の形態７における室内機が実行する乾燥運転処理のフローチャートである。ステップＳ３１からステップＳ３４までは図６の乾燥運転処理と同様であるため、説明を省略する。
【０１９２】
ステップＳ６０では、室内機４の制御部１１０は、リモコン６または中央監視装置８から室内機４を運転させるための指令を受信したか否かを判別する。
【０１９３】
ステップＳ６０での判別の結果、室内機４の制御部１１０がリモコン６または中央監視装置８から室内機４を運転させるための指令を受信していないときは（ステップＳ６０でＮｏ）、室内機４の制御部１１０は乾燥運転が必要か否かを判別するために、乾燥運転要求フラグがセットされているか否かを判別する（ステップＳ６１）。
【０１９４】
ステップＳ６１での判別の結果、乾燥運転が必要なとき、すなわち乾燥運転要求フラグがセットされているときは（ステップＳ６１でＹｅｓ）、室内機４の制御部１１０は乾燥運転が不要から必要に変化したか否かを判別するために、乾燥運転要求フラグの前回値が無いか否かを判別する（ステップＳ６２）。
【０１９５】
ステップＳ６２での判別の結果、乾燥運転が不要から必要に変化したとき、すなわち乾燥運転要求フラグの前回値が無いときは（ステップＳ６２でＹｅｓ）、室内機４の制御部１１０は中央監視装置８へ乾燥運転要求を送信する（ステップＳ６３）。
【０１９６】
ステップＳ６３で室内機４の制御部１１０が中央監視装置８へ乾燥運転要求を送信した後、中央監視装置８から乾燥運転応答が送信されるまでの間は、室内機４の制御部１１０は「膨張弁２２を０％だけ開」で乾燥運転させるようにするために、開度指令値を０％にセットする（ステップＳ６４）。
【０１９７】
次いで、室内機４の制御部１１０は、乾燥運転のための駆動指令の出力を行う（ステップＳ６５）。たとえば、室内機４の制御部１１０は、送風機１１を運転させるための送風機駆動回路３２への駆動指令の出力と、給水弁２１を閉状態に制御するための給水弁駆動回路３３への駆動指令の出力と、開度指令値に基づいて膨張弁２２の開度を制御するための膨張弁駆動回路３４への駆動指令の出力とを行う。これにより、室内機４の乾燥運転が実行される。
【０１９８】
ステップＳ６２での判別の結果、乾燥運転が必要なまま変化しないとき、すなわち乾燥運転要求フラグの前回値が有るときは（ステップＳ６２でＮｏ）、室内機４の制御部１１０が中央監視装置８から乾燥運転応答コマンドによって開度指令値を受信したときは、室内機４の制御部１１０は受信した値で開度指令値を更新する（ステップＳ６６）。ステップＳ６６では、室内機４の制御部１１０が中央監視装置８から乾燥運転応答コマンドによって開度指令値を受信していないときは、開度指令値を変更しない。
【０１９９】
次いで、ステップＳ６６において開度指令値が更新された場合は、室内機４の制御部１１０は、室外機３へ乾燥運転操作の情報を送信し、開度指令値に従って膨張弁２２の開度を制御することにより、室外機３の暖房負荷が変動することを通知して（ステップＳ６７）、ステップＳ６５の処理に進む。
【０２００】
ステップＳ６１での判別の結果、乾燥運転が不要なとき、すなわち乾燥運転要求フラグがクリアされているときは（ステップＳ６１でＮｏ）、室内機４の制御部１１０は乾燥運転停止の情報を中央監視装置８へ送信する（ステップＳ６８）。
【０２０１】
次いで、乾燥運転が終了して膨張弁２２の状態が閉状態に変化した場合は、室内機４の制御部１１０は、室外機３へ乾燥運転操作の情報を送信し、膨張弁２２を閉状態にすることにより、室外機３の暖房負荷が変動することを通知する（ステップＳ６９）。
【０２０２】
次いで、室内機４の制御部１１０は、運転停止のための駆動指令の出力を行う（ステップＳ７０）。たとえば、室内機４の制御部１１０は、送風機１１を停止させるための送風機駆動回路３２への駆動指令の出力と、給水弁２１を閉状態に制御するための給水弁駆動回路３３への駆動指令の出力と、膨張弁２２を閉状態に制御するための膨張弁駆動回路３４への駆動指令の出力とを行う。これにより、室内機４は運転を停止する。
【０２０３】
ステップＳ６０での判別の結果、室内機４の制御部１１０がリモコン６または中央監視装置８から室内機４を運転させるための指令を受信したとき（ステップＳ６０でＹｅｓ）、ステップＳ６５またはステップＳ７０の後に、室内機４の制御部１１０は乾燥運転要求フラグの変化を判断するための乾燥運転要求フラグの前回値を、現在の乾燥運転要求フラグの値で更新して（ステップＳ７１）、室内機４の制御部１１０は本処理を終了する。
【０２０４】
図２８の処理および図３２の乾燥運転処理によれば、室内機４の加湿運転の後の乾燥運転において、中央監視装置８にて、空気調和システム全体での消費電力量を算出し、乾燥運転による消費電力が最小となるように室内機４へ膨張弁２２の開度指令値を送信する。これにより、空気調和システム全体での消費電力を削減することができる。
【０２０５】
本実施の形態では、空気調和システム全体での消費電力量の算出を、中央監視装置８ではなく、室外機３で実施してもよい。
【０２０６】
以上の実施の形態に示した構成は、本発明の内容の一例を示すものであり、別の公知の技術と組み合わせることも可能であるし、本発明の要旨を逸脱しない範囲で、構成の一部を省略および変更することも可能である。
【符号の説明】
【０２０７】
１  冷媒配管、２  通信線、３  室外機、４  室内機、５  換気装置、６  室内機用リモートコントローラ、７  換気装置用リモートコントローラ、８  中央監視装置、９  分岐ユニット、１１  送風機、１２  空調コイル、１３  加湿器、１４  温度センサ、１５  空気、１６  ドレン皿、１７  加湿風路上部、１８  加湿風路下部、１９  加湿風路部、２０  制御装置、２１  給水弁、２２  膨張弁、２３  給水口、２４  給水配管、３０  商用電源、３１  電源回路、３２  送風機駆動回路、３３  給水弁駆動回路、３４  膨張弁駆動回路、３５  センサ検知回路、３６  機能設定回路、３７  リモコン通信回路、３８  冷媒系通信回路、３９  マイクロコンピュータ、５１  熱交換器、５２  排気送風機、５３  給気送風機、５４  給気風路、５５  室外側吸込口（ＯＡ）、５６  室内側吐出口（ＳＡ）、５７  排気風路、５８  室内側吸込口（ＲＡ）、５９  室外側吐出口（ＥＡ）、６０  制御装置、６１  空調コイル、６２  加湿器、６４  湿度センサ、６５  給水弁、６６  膨張弁、６７  給水口、６８  給水配管、７０  マイクロコンピュータ、７１  給気送風機駆動回路、７２  排気送風機駆動回路、１００  空気調和システム、１１０  制御部、１１１  通信部、１１２  測定部、１１４  駆動指令出力部、１１５  運転状態判別部、１１６  第１の送信部、１１７  第１の成績係数判別部、１１８  第２の成績係数判別部、１１９  第２の送信部、１２０  カウント部、１２１  第１の設定情報取得部、１２２  第２の設定情報取得部。
【図１】
0006732098.tif 000002
【図２】
0006732098.tif 000003
【図３】
0006732098.tif 000004
【図４】
0006732098.tif 000005
【図５】
0006732098.tif 000006
【図６】
0006732098.tif 000007
【図７】
0006732098.tif 000008
【図８】
0006732098.tif 000009
【図９】
0006732098.tif 000010
【図１０】
0006732098.tif 000011
【図１１】
0006732098.tif 000012
【図１２】
0006732098.tif 000013
【図１３】
0006732098.tif 000014
【図１４】
0006732098.tif 000015
【図１５】
0006732098.tif 000016
【図１６】
0006732098.tif 000017
【図１７】
0006732098.tif 000018
【図１８】
0006732098.tif 000019
【図１９】
0006732098.tif 000020
【図２０】
0006732098.tif 000021
【図２１】
0006732098.tif 000022
【図２２】
0006732098.tif 000023
【図２３】
0006732098.tif 000024
【図２４】
0006732098.tif 000025
【図２５】
0006732098.tif 000026
【図２６】
0006732098.tif 000027
【図２７】
0006732098.tif 000028
【図２８】
0006732098.tif 000029
【図２９】
0006732098.tif 000030
【図３０】
0006732098.tif 000031
【図３１】
0006732098.tif 000032
【図３２】
0006732098.tif 000033